(57)【要約】  ユーザによる動画の視聴の実績に応じて期待された程度にそのユーザに広告を選択させることを可能とすることを目的とする。情報処理装置は、動画を要求するユーザを識別するユーザ識別情報と、要求された動画を識別する動画識別情報とを取得する。情報処理装置は、取得されたユーザ識別情報に対応する表示履歴を取得する。情報処理装置は、取得された表示履歴に基づいて、要求された動画を表示するための第１の表示条件と、動画とともに表示される広告を表示するための第２の表示条件であって、前記第１の表示条件に応じた第２の表示条件を決定する。情報処理装置は、動画及び広告を、決定された表示条件に従って表示させる。
2016194041.tif 000002
【特許請求の範囲】
【請求項１】
動画を要求するユーザを識別するユーザ識別情報と、要求された前記動画を識別する動画識別情報とを取得する識別情報取得手段と、
前記取得されたユーザ識別情報に対応する表示履歴を表示履歴記憶手段から取得する表示履歴取得手段と、
前記取得された表示履歴に基づいて、前記要求された動画を表示するための第１の表示条件と、前記動画とともに表示される広告を表示するための表示条件であって前記第１の表示条件に応じた第２の表示条件とを決定する決定手段と、
前記取得された動画識別情報に対応する動画を動画記憶手段から取得する動画取得手段と、
広告記憶手段から前記広告を取得する広告取得手段と、
前記取得された動画及び広告を、前記決定された表示条件に従って表示させる表示制御手段と、
を備えることを特徴とする情報処理装置。
【請求項２】
請求項１に記載の情報処理装置において、
前記取得された動画識別情報に対応する第２表示履歴を動画表示履歴記憶手段から取得する動画表示履歴取得手段を更に備え、
前記決定手段は、前記取得された表示履歴と、前記取得された第２表示履歴とに基づいて、前記表示条件を決定することを特徴とする情報処理装置。
【請求項３】
請求項１又は２に記載の情報処理装置において、
前記取得されたユーザ識別情報に対応する広告の選択履歴を広告選択履歴記憶手段から取得する広告選択履歴取得手段を更に備え、
前記決定手段は、前記取得された表示履歴と、前記取得された選択履歴とに基づいて、前記表示条件を決定することを特徴とする情報処理装置。
【請求項４】
請求項１乃至３の何れか１項に記載の情報処理装置において、
前記決定手段は、前記取得された表示履歴、及び前記ユーザにより指定された検索条件と、前記要求された動画のメタ情報との関連性に基づいて、前記表示条件を決定することを特徴とする情報処理装置。
【請求項５】
請求項１乃至４の何れか１項に記載の情報処理装置において、
前記決定手段は、前記取得された表示履歴と、複数の時間帯のうち前記ユーザにより前記動画が要求された時間帯における動画の要求数とに基づいて、前記表示条件を決定することを特徴とする情報処理装置。
【請求項６】
請求項１乃至５の何れか１項に記載の情報処理装置において、
前記決定手段は、前記取得された表示履歴と、それぞれ複数の動画が属する複数の区分のうち前記要求された動画が属する区分の動画の要求数とに基づいて、前記表示条件を決定することを特徴とする情報処理装置。
【請求項７】
請求項１乃至６の何れか１項に記載の情報処理装置において、
前記要求された動画及び前記広告が表示されているときに該広告が前記ユーザにより選択された場合、前記決定された表示条件を、該表示条件よりも前記ユーザが前記要求された動画を見やすい表示条件に変更する変更手段を更に備え、
前記表示制御手段は、前記要求された動画及び前記広告を、前記変更された表示条件に従って表示させることを特徴とする情報処理装置。
【請求項８】
請求項１乃至７の何れか１項に記載の情報処理装置において、
前記要求された動画の表示が開始されてから所定のタイミングごとに、前記要求された動画及び前記広告の表示条件を更新する更新手段であって、更新前の表示条件よりも前記ユーザが前記要求された動画を見にくい表示条件に更新する更新手段を更に備え、
前記表示制御手段は、前記表示条件が更新されるごとに、前記要求された動画及び前記広告を、更新された前記表示条件に従って表示させることを特徴とする情報処理装置。
【請求項９】
請求項８に記載の情報処理装置において、
前記取得された表示履歴及び前記取得された動画識別情報に対応する第２表示履歴の少なくとも一方に基づいて、前記表示条件を更新する間隔を決定する間隔決定手段を更に備え、
前記更新手段は、前記決定された間隔で、前記表示条件を更新することを特徴とする情報処理装置。
【請求項１０】
コンピュータにより実行される情報処理方法であって、
動画を要求するユーザを識別するユーザ識別情報と、要求された前記動画を識別する動画識別情報とを取得する識別情報取得ステップと、
前記取得されたユーザ識別情報に対応する表示履歴を表示履歴記憶手段から取得する表示履歴取得ステップと、
前記取得された表示履歴に基づいて、前記要求された動画を表示するための第１の表示条件と、前記動画とともに表示される広告を表示するための表示条件であって前記第１の表示条件に応じた第２の表示条件とを決定する決定ステップと、
前記取得された動画識別情報に対応する動画を動画記憶手段から取得する動画取得ステップと、
広告記憶手段から前記広告を取得する広告取得ステップと、
前記取得された動画及び広告を、前記決定された表示条件に従って表示させる表示制御ステップと、
を含むことを特徴とする情報処理方法。
【請求項１１】
コンピュータを、
動画を要求するユーザを識別するユーザ識別情報と、要求された前記動画を識別する動画識別情報とを取得する識別情報取得手段と、
前記取得されたユーザ識別情報に対応する表示履歴を表示履歴記憶手段から取得する表示履歴取得手段と、
前記取得された表示履歴に基づいて、前記要求された動画を表示するための第１の表示条件と、前記動画とともに表示される広告を表示するための表示条件であって前記第１の表示条件に応じた第２の表示条件とを決定する決定手段と、
前記取得された動画識別情報に対応する動画を動画記憶手段から取得する動画取得手段と、
広告記憶手段から前記広告を取得する広告取得手段と、
前記取得された動画及び広告を、前記決定された表示条件に従って表示させる表示制御手段と、
として機能させることを特徴とする情報処理プログラム。
【発明の詳細な説明】
【技術分野】
【０００１】
本発明は、動画とともに広告を表示するシステムの技術分野に関する。
【背景技術】
【０００２】
従来、例えばメインコンテンツとして動画を表示するとともに、サブコンテンツとして広告を表示するシステムが知られている。例えば、特許文献１には、番組の動画が予め設定された時間再生されると、その動画の再生を一時停止して、広告の動画を再生する技術が開示されている。
【先行技術文献】
【特許文献】
【０００３】
【特許文献１】特開２００３−２４４６７７号公報
【発明の概要】
【発明が解決しようとする課題】
【０００４】
表示された広告がユーザにより選択された場合、例えば広告主のコンテンツが表示されることがある。このようなコンテンツは、例えば広告された商品又はサービスの情報であったり、その商品又はサービスを注文するためのウェブページであったり、更なる広告であったりするかもしれない。しかしながら、ユーザの中には、メインコンテンツとしての動画の視聴の実績に応じて期待されたほどには広告を選択しないユーザも存在する。【０００５】
本発明は、以上の点に鑑みてなされたものであり、ユーザによる動画の視聴の実績に応じて期待された程度にそのユーザに広告を選択させることを可能とする情報処理装置及び情報処理方法等を提供することを目的とする。
【課題を解決するための手段】
【０００６】
上記課題を解決するために、請求項１に記載の発明は、動画を要求するユーザを識別するユーザ識別情報と、要求された前記動画を識別する動画識別情報とを取得する識別情報取得手段と、前記取得されたユーザ識別情報に対応する表示履歴を表示履歴記憶手段から取得する表示履歴取得手段と、前記取得された表示履歴に基づいて、前記要求された動画を表示するための第１の表示条件と、前記動画とともに表示される広告を表示するための表示条件であって前記第１の表示条件に応じた第２の表示条件とを決定する決定手段と、前記取得された動画識別情報に対応する動画を動画記憶手段から取得する動画取得手段と、広告記憶手段から前記広告を取得する広告取得手段と、前記取得された動画及び広告を、前記決定された表示条件に従って表示させる表示制御手段と、を備えることを特徴とする。【０００７】
この発明によれば、情報処理装置が、動画を要求するユーザによる動画の表示履歴に基づいて、動画の表示条件、及び広告の表示条件を決定する。そして、情報処理装置が、動画の表示条件、及び広告の表示条件に従って、動画及び広告を表示させる。従って、ユーザによる動画の視聴の実績に応じて期待された程度にそのユーザに広告を選択させることができる。【０００８】
請求項２に記載の発明は、請求項１に記載の情報処理装置において、前記取得された動画識別情報に対応する第２表示履歴を動画表示履歴記憶手段から取得する動画表示履歴取得手段を更に備え、前記決定手段は、前記取得された表示履歴と、前記取得された第２表示履歴とに基づいて、前記表示条件を決定することを特徴とする。【０００９】
この発明によれば、要求された動画の表示の実績に応じた程度にユーザに広告を選択させることができる。【００１０】
請求項３に記載の発明は、請求項１又は２に記載の情報処理装置において、前記取得されたユーザ識別情報に対応する広告の選択履歴を広告選択履歴記憶手段から取得する広告選択履歴取得手段を更に備え、前記決定手段は、前記取得された表示履歴と、前記取得された選択履歴とに基づいて、前記表示条件を決定することを特徴とする。【００１１】
この発明によれば、ユーザによる広告の選択の実績に応じた程度にそのユーザに広告を選択させることができる。【００１２】
請求項４に記載の発明は、請求項１乃至３の何れか１項に記載の情報処理装置において、前記決定手段は、前記取得された表示履歴、及び前記ユーザにより指定された検索条件と、前記要求された動画のメタ情報との関連性に基づいて、前記表示条件を決定することを特徴とする。【００１３】
この発明によれば、検索条件と動画のメタ情報との関連性に応じた程度に、ユーザに広告を選択させることができる。【００１４】
請求項５に記載の発明は、請求項１乃至４の何れか１項に記載の情報処理装置において、前記決定手段は、前記取得された表示履歴と、複数の時間帯のうち前記ユーザにより前記動画が要求された時間帯における動画の要求数とに基づいて、前記表示条件を決定することを特徴とする。【００１５】
この発明によれば、動画が要求された時間帯における動画の要求数に応じた程度に、ユーザに広告を選択させることができる。【００１６】
請求項６に記載の発明は、請求項１乃至５の何れか１項に記載の情報処理装置において、前記決定手段は、前記取得された表示履歴と、それぞれ複数の動画が属する複数の区分のうち前記要求された動画が属する区分の動画の要求数とに基づいて、前記表示条件を決定することを特徴とする。【００１７】
この発明によれば、要求された動画が属する区分の動画の要求数に応じた程度に、ユーザに広告を選択させることができる。【００１８】
請求項７に記載の発明は、請求項１乃至６の何れか１項に記載の情報処理装置において、前記要求された動画及び前記広告が表示されているときに該広告が前記ユーザにより選択された場合、前記決定された表示条件を、該表示条件よりも前記ユーザが前記要求された動画を見やすい表示条件に変更する変更手段を更に備え、前記表示制御手段は、前記要求された動画及び前記広告を、前記変更された表示条件に従って表示させることを特徴とする。【００１９】
この発明によれば、ユーザが広告を選択すると、動画及び広告が、広告の選択前よりも動画が見やすい表示条件で表示される。従って、ユーザにより広告の選択を促進することができる。【００２０】
請求項８に記載の発明は、請求項１乃至７の何れか１項に記載の情報処理装置において、前記要求された動画の表示が開始されてから所定のタイミングごとに、前記要求された動画及び前記広告の表示条件を更新する更新手段であって、更新前の表示条件よりも前記ユーザが前記要求された動画を見にくい表示条件に更新する更新手段を更に備え、前記表示制御手段は、前記表示条件が更新されるごとに、前記要求された動画及び前記広告を、更新された前記表示条件に従って表示させることを特徴とする。【００２１】
この発明によれば、動画が表示された時間が長くなるにつれて次第に、動画及び広告が、より動画が見にくい表示条件で表示される。従って、１回の動画の再生において、ユーザによるその動画の視聴の実績に応じた蓋然性でそのユーザに広告を選択させることができる。【００２２】
請求項９に記載の発明は、請求項８に記載の情報処理装置において、前記取得された表示履歴及び前記取得された動画識別情報に対応する第２表示履歴の少なくとも一方に基づいて、前記表示条件を更新する間隔を決定する間隔決定手段を更に備え、前記更新手段は、前記決定された間隔で、前記表示条件を更新することを特徴とする。【００２３】
この発明によれば、ユーザによる動画の視聴の実績及び要求された動画の表示の実績の少なくとも一方に基づいて、動画が見にくくなっていく間隔が決定される。従って、ユーザによる動画の視聴の実績及び要求された動画の表示の実績の少なくとも一方に応じた蓋然性でそのユーザに広告を選択させることができる。【００２４】
請求項１０に記載の発明は、コンピュータにより実行される情報処理方法であって、動画を要求するユーザを識別するユーザ識別情報と、要求された前記動画を識別する動画識別情報とを取得する識別情報取得ステップと、前記取得されたユーザ識別情報に対応する表示履歴を表示履歴記憶手段から取得する表示履歴取得ステップと、前記取得された表示履歴に基づいて、前記要求された動画を表示するための第１の表示条件と、前記動画とともに表示される広告を表示するための表示条件であって前記第１の表示条件に応じた第２の表示条件とを決定する決定ステップと、前記取得された動画識別情報に対応する動画を動画記憶手段から取得する動画取得ステップと、広告記憶手段から前記広告を取得する広告取得ステップと、前記取得された動画及び広告を、前記決定された表示条件に従って表示させる表示制御ステップと、を含むことを特徴とする。【００２５】
請求項１１に記載の発明は、コンピュータを、動画を要求するユーザを識別するユーザ識別情報と、要求された前記動画を識別する動画識別情報とを取得する識別情報取得手段と、前記取得されたユーザ識別情報に対応する表示履歴を表示履歴記憶手段から取得する表示履歴取得手段と、前記取得された表示履歴に基づいて、前記要求された動画を表示するための第１の表示条件と、前記動画とともに表示される広告を表示するための表示条件であって前記第１の表示条件に応じた第２の表示条件とを決定する決定手段と、前記取得された動画識別情報に対応する動画を動画記憶手段から取得する動画取得手段と、広告記憶手段から前記広告を取得する広告取得手段と、前記取得された動画及び広告を、前記決定された表示条件に従って表示させる表示制御手段と、として機能させることを特徴とする。
【発明の効果】
【００２６】
本発明によれば、情報処理装置が、動画を要求するユーザによる動画の表示履歴に基づいて、動画の表示条件、及び広告の表示条件を決定する。そして、情報処理装置が、動画の表示条件、及び広告の表示条件に従って、動画及び広告を表示させる。従って、ユーザによる動画の視聴の実績に応じて期待された程度にそのユーザに広告を選択させることができる。
【図面の簡単な説明】
【００２７】
【図１】一実施形態に係る情報処理システムＳの概要構成の一例を示す図である。
【図２Ａ】動画再生ページ１００の表示例を示す図である。
【図２Ｂ】動画領域１１１及び広告領域１１２の一例を示す図である。
【図２Ｃ】動画領域１１１及び広告領域１１２の一例を示す図である。
【図３Ａ】動画再生ページ１００の表示例を示す図である。
【図３Ｂ】動画再生ページ１００及び提供情報２００の表示例を示す図である。
【図４Ａ】一実施形態に係る動画配信サーバ１の概要構成の一例を示すブロック図である。
【図４Ｂ】一実施形態に係る動画配信サーバ１のシステム制御部１４の機能ブロックの一例を示す図である。
【図５】動画配信サーバ１の記憶部１２に構築されたデータベースに登録される内容の一例を示す図である。
【図６Ａ】視聴ユーザの視聴実績に基づく動画表示条件及び広告表示条件の決定方法の一例を示す図である。
【図６Ｂ】要求された動画の再生実績に基づく動画表示条件及び広告表示条件の決定方法の一例を示す図である。
【図６Ｃ】視聴ユーザによる広告の選択実績に基づく動画表示条件及び広告表示条件の決定方法の一例を示す図である。
【図６Ｄ】検索条件と動画のメタ情報との関連性に基づく動画表示条件及び広告表示条件の決定方法の一例を示す図である。
【図６Ｅ】視聴ユーザにより動画が要求された時間帯と同一の時間帯における動画の要求数に基づく動画表示条件及び広告表示条件の決定方法の一例を示す図である。
【図６Ｆ】要求された動画が属するカテゴリーの動画の要求数に基づく動画表示条件及び広告表示条件の決定方法の一例を示す図である。
【図７Ａ】動画の再生が開始されたときの動画領域１１１及び広告領域１１２の一例を示す図である。
【図７Ｂ】再生時間が１０分経過したときの動画領域１１１及び広告領域１１２の一例を示す図である。
【図７Ｃ】再生時間が２０分経過したときの動画領域１１１及び広告領域１１２の一例を示す図である。
【図８】一実施形態に係る動画配信サーバ１のシステム制御部１４の動画配信処理の一例を示すフローチャートである。
【図９】一実施形態に係る動画配信サーバ１のシステム制御部１４の動画配信処理の一例を示すフローチャートである。
【発明を実施するための形態】
【００２８】
以下、図面を参照して本発明の実施形態について詳細に説明する。なお、以下に説明する実施の形態は、情報処理システムに対して本発明を適用した場合の実施形態である。
【００２９】
［１．情報処理システムの構成及び機能概要］
先ず、本実施形態に係る情報処理システムＳの構成及び機能概要について、図１乃至図２Ｃを用いて説明する。図１は、本実施形態に係る情報処理システムＳの概要構成の一例を示す図である。
【００３０】
図１に示すように、情報処理システムＳは、動画配信サーバ１と、複数のユーザ端末２と、を含んで構成されている。そして、動画配信サーバ１と各ユーザ端末２とは、ネットワークＮＷを介して、例えば、通信プロトコルにＴＣＰ／ＩＰ等を用いて相互にデータの送受信が可能になっている。なお、ネットワークＮＷは、例えば、インターネット、専用通信回線（例えば、ＣＡＴＶ（Community Antenna Television）回線）、移動体通信網（基地局等を含む）、及びゲートウェイ等により構築されている。
【００３１】
動画配信サーバ１は、動画をユーザ端末２へ配信するサーバ装置である。動画配信サーバ１は、本発明における情報処理装置の一例である。ユーザ端末２を利用するユーザは、所望の動画を要求することができる。例えば、ユーザが検索条件を入力すると、動画配信サーバ１は、検索条件に合致する動画を検索する。ユーザは、検索された動画のうち何れかの動画を選択する。動画配信サーバ１は、選択された動画をユーザ端末２へ配信する。検索条件は、例えば、キーワードであってもよいし、動画のカテゴリーであってもよい。また、動画配信サーバ１は、動画とともに広告をユーザ端末２へ配信する。そして、動画配信サーバ１は、ユーザ端末２に、動画及び広告を同時に表示させる。
【００３２】
また、動画配信サーバ１は、動画表示条件及び動画表示条件に応じた広告表示条件を決定する。動画表示条件は、動画を表示するための条件であり、動画の表示状態を示す条件である。例えば、動画表示条件は、動画の表示サイズを直接又は間接的に示してもよい。広告表示条件は、動画とともに表示される広告を表示するための条件であり、広告の表示状態を示す条件である。例えば、広告表示条件は、広告の表示サイズを直接又は間接的に示してもよい。動画表示条件は、本発明の第１の表示条件の一例であり、広告表示条件は、本発明の第２の表示条件の一例である。動画配信サーバ１は、決定された動画表示条件及び広告表示条件に従って動画及び広告を表示させる。動画配信サーバ１は、例えば動画表示条件及び広告表示条件を、一対一対応で決定する。例えば、決定される可能性がある動画表示条件の範囲を動画表示条件集合と仮定し、決定される可能性がある広告表示条件の範囲を広告表示条件集合と仮定する。動画表示条件集合の各要素と、広告表示条件集合の各要素とが一対一で関連付けられる。換言すると、動画表示条件集合の各要素が、広告表示条件集合の１つの要素に一意に関連付けられている。すなわち、動画表示条件及び広告表示条件のうち一方の表示条件が決まれば、全単射である関数により他方の表示条件が一意に決まる。この関数は、例えば狭義単調減少関数である。
【００３３】
図２Ａは、動画再生ページ１００の表示例を示す図である。動画再生ページ１００は、動画配信サーバ１から配信された動画及び広告を含むウェブページである。動画配信サーバ１は、動画再生ページ１００をユーザ端末２に送信することにより、ユーザ端末２に動画及び広告を表示させる。図２Ａに示すように、動画再生ページ１００は、領域１１０及び操作領域１２０を含む、領域１１０は、動画領域１１１及び広告領域１１２を含む。動画領域１１１には動画が表示される。広告領域１１２には広告が表示される。図２Ａにおいては、動画領域１１１と広告領域１１２とが横方向に並べられている。なお、動画領域１１１と広告領域１１２とが例えば縦方向に並べられてもよい。操作領域１２０は、動画領域１１１に表示される動画の再生をユーザが操作するための要素を含む。例えば、操作領域１２０は、再生／一時停止ボタンを含んでもよい。操作領域１２０内には、現在の再生時間（再生位置）、収録時間等が表示されてもよい。再生時間は、動画全体のうち再生された部分の長さを示す時間である。収録時間は、動画の全長を示す時間である。
【００３４】
動画再生ページ１００は、更に１又は複数のレコメンド動画情報１３０を含んでもよいし、含まなくてもよい。レコメンド動画情報１３０は、レコメンド動画に関する情報である。レコメンド動画は、動画領域１１１に表示されている動画に関連する動画である。レコメンド動画情報１３０は、例えば、レコメンド動画の一部のフレームのサムネイル、タイトル等を含む。ユーザが何れかのレコメンド動画情報１３０を選択すると、動画配信サーバ１は、選択たれたレコメンド動画情報１３０に対応するレコメンド動画を再生するための動画再生ページ１００をユーザ端末２へ送信する。
【００３５】
動画領域１１１のサイズは動画表示条件に対応し、広告領域１１２のサイズは広告表示条件に対応する。従って、決定される動画表示条件及び広告表示条件によって、動画領域１１１のサイズ及び広告領域１１２のサイズが変化する。例えば、動画領域１１１の横の長さと広告領域１１２の横の長さとの合計が、領域１１０の横の長さに略一致する。従って、動画領域１１１のサイズが大きくなるに従って、広告領域１１２のサイズが小さくなる。また、広告領域１１２のサイズが大きくなるに従って、動画領域１１１のサイズが小さくなる。従って、広告領域１１２のサイズと動画領域１１１のサイズとの関係は、狭義単調減少で表される。図２Ａは、動画領域１１１の横の長さと、広告領域１１２の横の長さとの比が７対３である場合の例を示す。図２Ｂ及び図２Ｃは、動画領域１１１及び広告領域１１２の別の例を示す図である。図２Ｂは、動画領域１１１の横の長さと、広告領域１１２の横の長さとの比が５対５である場合の例を示す。図２Ｃは、動画領域１１１の横の長さと、広告領域１１２の横の長さとの比が３対７である場合の例を示す。動画表示条件及び広告表示条件の決定方法については後述する。
【００３６】
広告領域１１２に表示されている広告をユーザが選択すると、ユーザ端末２は、提供情報を表示する。提供情報は、表示されている広告によって宣伝されている商品又はサービスに関する情報である。提供情報は、例えば更なる広告を示すウェブページ又は動画であってもよいし、商品又はサービスを注文又は契約するためのウェブページであってもよい。図３Ａは、動画再生ページ１００の別の表示例を示す図である。図３Ｂは、動画再生ページ１００及び提供情報２００の表示例を示す図である。例えば、図３Ａに示すように、ユーザがマウスポインタＭＰを広告領域１１２に重ねてクリックすると、図３Ｂに示すように、例えばユーザ端末２は、提供情報２００を、動画再生ページ１００のウインドウ又はタブとは異なるウインドウ又はタブ内に表示してもよい。このとき、動画配信サーバ１は、動画表示条件及び広告表示条件を、変更前の動画表示条件及び広告表示条件よりも動画が見やすい動画表示条件及び広告表示条件に変更してもよい。これにより、図３Ｂに示すように、動画領域１１１のサイズは、図３Ａに示す動画領域１１１のサイズよりも大きくなり、広告領域１１２のサイズは、図３Ａに示す広告領域１１２のサイズよりも小さくなる。
【００３７】
ユーザ端末２は、例えば情報処理システムＳに会員登録しているユーザにより使用される端末装置である。ユーザ端末２は、ユーザからの操作に基づいて、動画配信サーバ１からウェブページ、動画、広告のコンテンツ等を受信する。ユーザ端末２は、動画配信サーバ１から受信したコンテンツをディスプレイに表示させる。ユーザ端末２には、ブラウザや電子メールクライアント等のソフトウェアが組み込まれている。ユーザ端末２としては、例えば、パーソナルコンピュータ、ＰＤＡ（Personal Digital Assistant）、スマートフォン等の携帯情報端末、携帯電話機等が用いられる。
【００３８】
［２．動画配信サーバの構成］
次に、動画配信サーバ１の構成について、図４Ａ及び図５を用いて説明する。図４Ａは、本実施形態に係る動画配信サーバ１の概要構成の一例を示すブロック図である。図４Ａに示すように、動画配信サーバ１は、通信部１１と、記憶部１２と、入出力インターフェース１３と、システム制御部１４と、を備えている。そして、システム制御部１４と入出力インターフェース１３とは、システムバス１５を介して接続されている。
【００３９】
通信部１１は、ネットワークＮＷに接続して、店舗端末３やユーザ端末２等との通信状態を制御するようになっている。
【００４０】
記憶部１２は、本発明におけるユーザ表示履歴記憶手段、動画記憶手段、広告記憶手段、動画表示履歴記憶手段及び広告選択履歴記憶手段のそれぞれの一例である。ユーザ表示履歴記憶手段、動画記憶手段、広告記憶手段、動画表示履歴記憶手段及び広告選択履歴記憶手段は同一のデバイスで構成されてもよいし、互いに異なるデバイスで構成されてもよい。記憶部１２は、例えば、ハードディスクドライブ等により構成されている。この記憶部１２には、ユーザ情報ＤＢ１２ａ、動画ＤＢ１２ｂ、広告ＤＢ１２ｃ、視聴履歴ＤＢ１２ｄ、広告選択履歴ＤＢ１２ｅ等のデータベースが構築されている。「ＤＢ」は、データベースの略語である。図５は、動画配信サーバ１の記憶部１２に構築されたデータベースに登録される内容の一例を示す図である。
【００４１】
ユーザ情報ＤＢ１２ａには、情報処理システムＳに会員登録しているユーザに関するユーザ情報が、ユーザごとに対応付けて登録される。具体的に、ユーザ情報ＤＢ１２ａには、ユーザＩＤ、パスワード、ニックネーム、電子メールアドレス等のユーザの属性が対応付けてユーザ情報として登録される。ユーザＩＤは、ユーザを識別するための識別情報である。ユーザＩＤは、本発明におけるユーザ識別情報の一例である。
【００４２】
動画ＤＢ１２ｂには、配信可能な動画に関する情報が登録される。具体的に、動画ＤＢ１２ｂには、動画ＩＤ、カテゴリーＩＤ、動画のタイトル、タグ情報、動画の収録時間、動画データ等が対応付けて動画ごとに登録される。動画ＩＤは、動画を識別するための識別情報である。動画ＩＤは、本発明の動画識別情報の一例である。カテゴリーＩＤは、動画ＩＤが示す動画が分類されるカテゴリーを識別するための情報である。情報処理システムにおいては、複数のカテゴリーが定義されている。各カテゴリーに複数の動画が属している。カテゴリーは、本発明の区分の一例である。タグ情報は、動画ＩＤが示す動画に関連する１又は複数の語を含む。タイトル及びタグ情報に含まれる語は、動画に関する語を含むメタ情報である。このメタ情報は、動画の検索に用いられる情報である。動画データは、動画を示すデータであり、動画を表示するためのデータである。動画データの形式は、例えばＭＰ４（ISO/IEC 14496-14:2003）等であってもよい。
【００４３】
広告ＤＢ１２ｃには、配信可能な広告に関する情報が登録される。具体的に、広告ＤＢ１２ｃには、広告ＩＤ、広告データ、提供情報ＵＲＬ（Uniform Resource Locator）等が対応付けて広告ごとに登録される。広告ＩＤは、広告を識別するための識別情報である。広告データは、広告を示すデータであり、広告を表示するためのデータである。例えば、広告データは、文字データ、静止画データ、動画データ等であってもよい。また例えば、広告データは、これらのデータのうち少なくとも２つのデータの組み合わせであってもよい。提供情報ＵＲＬは、広告ＩＤが示す広告に関連付けられた提供情報のＵＲＬである。
【００４４】
動画視聴履歴ＤＢ１２ｄには、ユーザによる動画の視聴履歴が登録される。或るユーザに注目した場合、視聴履歴は、注目されたユーザによる動画の表示の履歴である。或る動画に注目した場合、視聴履歴は、注目された動画の表示の履歴である。具体的に、動画視聴履歴ＤＢ１２ｄには、ユーザＩＤ、動画ＩＤ、視聴日時、再生時間等が対応付けて視聴履歴として登録される。ユーザＩＤは、動画を視聴したユーザを示す。動画ＩＤは、視聴された動画、すなわち表示された動画を示す。視聴日時は、動画が視聴された日時を示す。視聴日時は、例えば動画の再生が開始された日時であってもよい。再生時間は、動画ＩＤが示す動画全体のうち再生された部分の時間の長さを示す。動画配信サーバ１は、動画が再生されるごとに資料履歴を動画視聴履歴ＤＢ１２ｄに登録する。
【００４５】
広告選択履歴ＤＢ１２ｅには、広告領域１１２に表示された広告のユーザによる選択の履歴が登録される。具体的に、広告選択履歴ＤＢ１２ｅには、ユーザＩＤ、広告ＩＤ、選択日時等が対応付けて広告選択履歴として登録される。ユーザＩＤは、広告を選択したユーザを示す。広告選択日時は、広告が選択された日時を示す。広告ＩＤは、選択された広告を示す。動画配信サーバ１は、広告が選択されるごとに広告選択履歴を広告選択履歴ＤＢ１２ｅに登録する。
【００４６】
記憶部１２には、更にウェブページを表示するためのＨＴＭＬ文書、ＸＭＬ（Extensible Markup Language）文書、画像データ、テキストデータ、電子文書等の各種データが記憶されている。また、記憶部１２には、各種の設定値、閾値、基準値、規定値、定数、テーブル等が記憶されている。
【００４７】
また、記憶部１２には、オペレーティングシステム、ＷＷＷ（World Wide Web）サーバプログラム、ＤＢＭＳ（Database Management System）、配信プログラム等の各種プログラムが記憶されている。配信プログラムは、本発明における情報処理プログラムの一例である。配信プログラムは、動画及び広告の配信、表示条件の決定に関する各種の処理を実行するためのプログラムである。なお、各種プログラムは、例えば、他のサーバ装置等からネットワークＮＷを介して取得されるようにしてもよい。また例えば、各種プログラムは、光ディスク、磁気テープ、メモリカード等の記録媒体に記録されてドライブ装置を介して読み込まれるようにしてもよい。また、配信プログラム等は、プログラム製品であってもよい。
【００４８】
入出力インターフェース１３は、通信部１１及び記憶部１２とシステム制御部１４との間のインターフェース処理を行うようになっている。
【００４９】
システム制御部１４は、ＣＰＵ１４ａ、ＲＯＭ（Read Only Memory）１４ｂ、ＲＡＭ（Random Access Memory）１４ｃ等により構成されている。ＣＰＵ１４ａは、プロセッサの一例である。なお、本発明は、ＣＰＵと異なる様々なプロセッサに対しても適用可能である。記憶部１２、ＲＯＭ１４ｂ及びＲＡＭ１４ｃは、それぞれメモリの一例である。なお、本発明は、ハードディスク、ＲＯＭ及びＲＡＭと異なる様々なメモリに対しても適用可能である。
【００５０】
なお、動画配信サーバ１が複数のサーバ装置で構成されてもよい。例えば、表示条件を決定するサーバ装置、動画を配信するサーバ装置、広告を配信するサーバ装置、及びデータベースを管理するサーバ装置等が互いにＬＡＮ等で接続されてもよい。
【００５１】
［３．システム制御部の機能概要］
次に、図４Ｂ、図６Ａ乃至図７Ｃを用いて、システム制御部１４の機能概要について説明する。図４Ｂは、本実施形態に係る動画配信サーバ１のシステム制御部１４の機能ブロックの一例を示す図である。システム制御部１４は、ＣＰＵ１４ａが、配信プログラム等のプログラムを読み出し実行することにより、図４Ｂに示すように、ＩＤ取得部１４１、履歴取得部１４２、表示条件決定部１４３、動画取得部１４４、広告取得部１４５、表示制御部１４６等として機能する。ＩＤ取得部１４１は、本発明の識別情報取得手段の一例である。履歴取得部１４２は、本発明の表示履歴取得手段、動画表示履歴取得手段及び広告選択履歴取得手段のそれぞれの一例である。表示条件決定部１４３は、本発明の決定手段、変更手段、及び更新手段のそれぞれの一例である。動画取得部１４４は、本発明の動画取得手段の一例である。広告取得部１４５は、本発明の広告取得手段の一例である。表示制御部１４６は、本発明の表示制御手段の一例である。
【００５２】
上述したように、動画再生ページ１００には、広告が、ユーザにより要求された動画とともに表示される。ユーザは、動画再生ページ１００に表示された動画を視聴する。しかしながら、ユーザの中には、動画の視聴の実績に応じて期待されたほどには広告を選択しないユーザも存在する。例えば、長時間動画を視聴しいるにもかかわらず、広告を選択しないユーザが存在するかもしれない。また例えば、多数の動画を視聴しているにもかかわらず、広告を選択しないユーザが存在するかもしれない。そこで、システム制御部１４は、動画を要求したユーザの視聴履歴に基づいて、動画表示条件及び広告表示条件を決定する。そして、システム制御部１４は、決定した動画表示条件及び広告表示条件に従って、動画及び広告をユーザ端末２に表示させる。これにより、システム制御部１４は、ユーザによる動画の視聴の実績に応じて期待された程度にそのユーザに広告を選択させることを可能とする。動画を要求するユーザを、視聴ユーザという。
【００５３】
ＩＤ取得部１４１は、視聴ユーザのユーザＩＤ及び要求された動画の動画ＩＤを取得する。例えば、検索条件に基づいて検索された動画の中から視聴ユーザが何れかの動画を、要求する動画として選択する。すると、ユーザ端末２は、動画再生ページの要求を動画配信サーバ１へ送信する。動画再生ページ１００の要求は、要求された動画の動画ＩＤを含む。ＩＤ取得部１４１は、この要求から動画ＩＤを取得する。動画再生ページ１００の要求は、更に視聴ユーザのユーザＩＤを含んでもよい。この場合、ＩＤ取得部１４１は、この要求からユーザＩＤを取得する。或いは、ＩＤ取得部１４１は、セッション情報、又は動画再生ページ１００の要求とともにユーザ端末２から送信されてきたクッキーに基づいて、視聴ユーザのユーザＩＤを取得してもよい。
【００５４】
履歴取得部１４２は、ＩＤ取得部１４１により取得されたユーザＩＤに基づいて、視聴履歴ＤＢ１２ｄから、視聴ユーザの視聴履歴を取得する。具体的に、履歴取得部１４２は、視聴ユーザのユーザＩＤに対応する視聴履歴を取得する。このとき、履歴取得部１４２は、例えば視聴ユーザの全ての視聴履歴を取得してもよい。また例えば、履歴取得部１４２は、視聴ユーザの視聴履歴のうち、現在から所定期間内の視聴日時の視聴履歴を取得してもよい。また例えば、履歴取得部１４２は、視聴ユーザの視聴履歴のうち、視聴ユーザが情報処理システムＳに最後にログインしてから現在までの視聴履歴を取得してもよい。例えば、ユーザが情報処理システムＳにログインするごとに、システム制御部１４は、ログインしたユーザＩＤとログインの日時とを対応付けてログイン履歴として記憶部１２に記憶してもよい。履歴取得部１４２は、視聴ユーザのユーザＩＤに対応付けて記憶部１２に記憶されているログインの日時を取得する。履歴取得部１４２は、視聴日時がログインの日時より後である視聴履歴を取得することができる。なお、ＩＤ取得部１４１は、視聴ユーザの視聴履歴を取得しなくてもよい。
【００５５】
履歴取得部１４２は、ＩＤ取得部１４１により取得された動画ＩＤに基づいて、視聴履歴ＤＢ１２ｄから、要求された動画の視聴履歴を取得してもよい。具体的に、履歴取得部１４２は、要求された動画の動画ＩＤに対応する視聴履歴を取得する。このとき、履歴取得部１４２は、例えば要求された動画の全ての視聴履歴を取得してもよい。また例えば、履歴取得部１４２は、要求された動画の視聴履歴のうち、現在から所定期間内の視聴日時の視聴履歴を取得してもよい。なお、ＩＤ取得部１４１は、要求された動画の視聴履歴を取得しなくてもよい。
【００５６】
履歴取得部１４２は、ＩＤ取得部１４１により取得されたユーザＩＤに基づいて、広告選択履歴ＤＢ１２ｅから、視聴ユーザの広告選択履歴を取得してもよい。具体的に、履歴取得部１４２は、視聴ユーザのユーザＩＤに対応する広告選択履歴を取得する。このとき、履歴取得部１４２は、視聴ユーザの広告選択履歴のうち、選択日時が最新の広告選択履歴を取得してもよい。また例えば、履歴取得部１４２は、視聴ユーザの全ての広告選択履歴を取得してもよい。また例えば、履歴取得部１４２は、視聴ユーザの広告選択履歴のうち、現在から所定期間内の選択日時の広告選択履歴を取得してもよい。なお、ＩＤ取得部１４１は、視聴ユーザの広告選択履歴を取得しなくてもよい。
【００５７】
表示条件決定部１４３は、動画表示条件及び動画表示条件に応じた広告表示条件を決定する。表示条件決定部１４３は、例えば先に動画表示条件を決定し、決定した動画表示条件に対応する広告表示条件を後で決定してもよい。また例えば、表示条件決定部１４３は、先に広告表示条件を決定し、決定した広告表示条件に対応する動画表示条件を決定してもよい。動画表示条件及び広告表示条件のうち何れか一方の表示条件が決定されれば、決定された一方の表示条件に一対一で対応付けられた他方の表示条件が一意に決定される。例えば、表示条件決定部１４３は、決定された一方の表示条件と所定の単調減少関数とに基づいて、他方の表示条件を決定してもよい。また例えば、表示条件決定部１４３は、動画表示条件及び広告表示条件を同時に決定してもよい。なお、動画表示条件及び広告表示条件を決定することを、単に「表示条件を決定する」という。
【００５８】
表示条件決定部１４３は、動画表示条件及び広告表示条件として、例えば動画領域１１１の横の長さを示すピクセル数、及び広告領域１１２の横の長さを示すピクセル数をそれぞれ決定してもよい。或いは、表示条件決定部１４３は、動画表示条件及び広告表示条件として、例えば、領域１１０の横の長さに対する動画領域１１１の横の長さの比率と、及び領域１１０の横の長さに対する領域１１０の横の長さの比率をそれぞれ決定してもよい。
【００５９】
表示条件決定部１４３は、例えば、動画領域１１１のサイズが０よりも大きくなるように、動画表示条件を決定してもよい。また、表示条件決定部１４３は、例えば動画領域１１１のサイズが領域１１０のサイズ以下となるように、動画表示条件を決定してもよい。一方、表示条件決定部１４３は、広告領域１１２のサイズが０よりも大きくなるように、広告表示条件を決定してもよいし、広告領域１１２のサイズが０以上になるように、広告表示条件を決定してもよい。広告領域１１２のサイズが０である場合、広告は実質的に表示されない。また、表示条件決定部１４３は、例えば広告領域１１１のサイズが領域１１０のサイズ未満となるように、動画表示条件を決定してもよい。
【００６０】
表示条件決定部１４３は、履歴取得部１４２により取得された、視聴ユーザの視聴履歴に基づいて、表示条件を決定する。例えば、表示条件決定部１４３は、視聴ユーザの視聴履歴に基づいて、視聴ユーザの視聴実績を示す情報を決定してもよい。視聴ユーザの視聴実績を示す情報は、例えば動画の視聴時間であってもよい。視聴時間が長いほど視聴実績が高い。例えば、表示条件決定部１４３は、履歴取得部１４２により取得された視聴ユーザの視聴履歴のそれぞれから再生時間を取得する。表示条件決定部１４３は、取得された再生時間の合計を、視聴時間として計算してもよい。視聴時間は、例えば過去全部の視聴時間、現在から所定期間内の視聴時間、又は視聴ユーザが最後にログインしてから現在までの視聴時間であってもよい。視聴ユーザの視聴実績を示す情報は、例えば動画の視聴回数であってもよい。視聴回数が多いほど視聴実績が高い。例えば、表示条件決定部１４３は、履歴取得部１４２により取得された視聴ユーザの視聴履歴の数を、視聴回数としてカウントしてもよい。視聴回数は、例えば過去全部の視聴回数、現在から所定期間内の視聴回数、又は視聴ユーザが最後にログインしてから現在までの視聴回数であってもよい。
【００６１】
表示条件決定部１４３は、視聴ユーザの視聴実績を示す情報に応じた表示条件を決定する。このとき、表示条件決定部１４３は、視聴実績が高いほど、要求された動画を視聴ユーザが見にくい表示条件を決定する。具体的に、動画領域１１１のサイズが小さいほど、動画が見にくくなる。また、広告領域１１２のサイズが大きいほど、動画領域１１１のサイズが小さくなるので、動画が見にくくなる。一方、動画領域１１１のサイズが大きいほど、動画が見やすくなる。また、広告領域１１２のサイズが小さいほど、動画領域１１１のサイズが大きくなるので、動画が見やすくなる。従って、表示条件決定部１４３は、視聴実績が高いほど、要求された動画が見にくい動画表示条件を決定し、広告が見やすい広告表示条件を決定する。広告が見やすくなるほど、視聴ユーザが広告に注意を向ける蓋然性が高くなる。従って、広告が見やすくなるほど、視聴ユーザが広告を選択する蓋然性が高くなる。これにより、視聴ユーザによる動画の視聴の実績に応じて期待された程度にそのユーザに広告を選択させることが可能となる。
【００６２】
図６Ａは、視聴ユーザの視聴実績に基づく動画表示条件及び広告表示条件の決定方法の一例である。例えば、視聴実績として視聴時間が用いられる場合、表示条件決定部１４３は、視聴時間が短いほど、動画が見やすい表示条件を決定してもよい。そして、表示条件決定部１４３は、視聴時間が長いほど、動画が見にくい表示条件を決定してもよい。例えば、視聴実績として視聴回数が用いられる場合、表示条件決定部１４３は、視聴回数が少ないほど、動画が見やすい表示条件を決定してもよい。そして、表示条件決定部１４３は、視聴回数が多いほど、動画が見にくい表示条件を決定してもよい。
【００６３】
表示条件決定部１４３は、例えば視聴実績を変数とする式を用いて表示条件を決定してもよい。また例えば、視聴実績と表示条件との対応関係を示すテーブルを用いて表示条件を決定してもよい。このようなテーブルは、例えば記憶部１２に記憶される。
【００６４】
表示条件決定部１４３は、視聴実績の基準値を決定してもよいし、決定しなくてもよい。視聴ユーザの視聴実績が基準値よりも低い場合、表示条件決定部１４３は、例えば動画領域１１１のサイズが広告領域１１２のサイズよりも大きい表示条件を決定してもよい。視聴ユーザの視聴実績が基準値よりも高い場合、表示条件決定部１４３は、例えば動画領域１１１のサイズが広告領域１１２のサイズよりも小さい表示条件を決定してもよい。視聴実績の基準値は、例えば、全てのユーザの視聴実績の代表値であってもよい。代表値は、例えば平均値、中央値等であってもよい。また例えば、視聴実績の基準値は、全てのユーザのうち、視聴ユーザと視聴傾向が類似するユーザの視聴実績の代表値であってもよい。視聴傾向が類似するユーザとは、例えば、視聴する動画のカテゴリーの傾向が類似するユーザであってもよいし、視聴する動画の収録時間の傾向が類似するユーザであってもよい。また例えば、視聴実績の基準値は、現在から所定期間内に動画を視聴したユーザの視聴実績の代表値であってもよい。また例えば、視聴実績の基準値は、現在から所定期間内に広告を選択したユーザの視聴実績の代表値であってもよい。
【００６５】
表示条件決定部１４３は、視聴ユーザの視聴履歴のみに基づいて、表示条件を決定してもよい。或いは、視聴ユーザの視聴履歴に加えて、表示条件決定部１４３は、他の情報に基づいて、表示条件を決定してもよい。
【００６６】
例えば、表示条件決定部１４３は、視聴ユーザの視聴履歴と、履歴取得部１４２により取得された、要求された動画の視聴履歴との組み合わせに基づいて、表示条件を決定してもよい。例えば、表示条件決定部１４３は、要求された動画の視聴履歴に基づいて、要求された動画の再生実績を示す情報を決定する。要求された動画の再生実績を示す情報は、例えば要求された動画の再生時間であってもよい。再生時間が長いほど再生実績が高い。例えば、表示条件決定部１４３は、履歴取得部１４２により取得された、要求された動画の視聴履歴のそれぞれから再生時間を取得する。表示条件決定部１４３は、取得された再生時間の合計を、再生時間として計算してもよい。再生時間は、例えば過去全部の再生時間、又は現在から所定期間内の再生時間であってもよい。要求された動画の再生実績を示す情報は、例えば要求された動画の再生回数であってもよい。再生回数が多いほど再生実績が高い。例えば、表示条件決定部１４３は、履歴取得部１４２により取得された、要求された動画の視聴履歴の数を、再生回数としてカウントしてもよい。再生回数は、例えば過去全部の再生回数、又は現在から所定期間内の再生回数であってもよい。
【００６７】
表示条件決定部１４３は、視聴ユーザの視聴実績を示す情報、及び要求された動画の再生実績を示す情報に応じた表示条件を決定してもよい。具体的に、再生実績が同一である場合、表示条件決定部１４３は、視聴実績が高いほど、要求された動画を視聴ユーザが見にくい表示条件を決定する。また、視聴実績が同一である場合、表示条件決定部１４３は、再生実績が高いほど、要求された動画を視聴ユーザが見にくい表示条件を決定する。再生実績が高い動画であるほど、人気がある動画であると考えられる。従って、動画の人気に応じた程度に視聴ユーザに広告を選択させることができる。また、図３Ａ及び図３Ｂに示すように、視聴ユーザが広告を選択すると、動画表示条件及び広告表示条件が、より動画が見やすい動画表示条件及び広告表示条件に変更されて、動画領域１１１が大きくなる。動画の人気が高いほど、視聴ユーザはその動画を大きく表示させたい蓋然性が高い。この観点においても、動画の人気に応じた程度に視聴ユーザに広告を選択させることができる。
【００６８】
図６Ｂは、要求された動画の再生実績に基づく動画表示条件及び広告表示条件の決定方法の一例を示す図である。例えば、再生実績として再生時間が用いられる場合、表示条件決定部１４３は、再生時間が短いほど、動画が見やすい表示条件を決定してもよい。そして、表示条件決定部１４３は、再生時間が長いほど、動画が見にくい表示条件を決定してもよい。再生実績として再生回数が用いられる場合、表示条件決定部１４３は、再生回数が少ないほど、動画が見やすい表示条件を決定してもよい。そして、表示条件決定部１４３は、再生回数が多いほど、動画が見にくい表示条件を決定してもよい。
【００６９】
表示条件決定部１４３は、例えば視聴実績と再生実績とを掛け合わせて、表示条件を決定するための値を計算してもよい。そして、表示条件決定部１４３は、この値が大きいほど、動画が見にくい表示条件を決定してもよい。また例えば、表示条件決定部１４３は、視聴実績及び再生実績を変数とする式を用いて表示条件を決定してもよい。また例えば、視聴実績及び再生実績の組み合わせと表示条件との対応関係を示すテーブルを用いて表示条件を決定してもよい。
【００７０】
表示条件決定部１４３は、再生実績の基準値を決定してもよいし、決定しなくてもよい。要求された動画の再生実績が基準値よりも低い場合、表示条件決定部１４３は、例えば動画領域１１１のサイズが広告領域１１２のサイズよりも大きい表示条件を決定してもよい。要求された動画の再生実績が基準値よりも高い場合、表示条件決定部１４３は、例えば動画領域１１１のサイズが広告領域１１２のサイズよりも小さい表示条件を決定してもよい。再生実績の基準値は、例えば、全ての動画の再生実績の代表値であってもよい。また例えば、再生実績の基準値は、全ての動画のうち、要求された動画のカテゴリーに属する動画の再生実績の代表値であってもよい。また例えば、再生実績の基準値は、現在から所定期間内に再生された動画の再生実績の代表値であってもよい。また例えば、再生実績の基準値は、現在から所定期間内に広告が選択された動画再生ページ１００で再生されていた動画の再生実績の代表値であってもよい。なお、表示条件決定部１４３は、要求された動画の視聴履歴のみに基づいて、表示条件を決定してもよい。
【００７１】
表示条件決定部１４３は、例えば視聴ユーザの視聴履歴と、履歴取得部１４２により取得された広告選択履歴との組み合わせに基づいて、表示条件を決定してもよい。例えば、表示条件決定部１４３は、広告選択履歴に基づいて、視聴ユーザによる広告の選択実績を示す情報を決定する。広告の選択実績を示す情報は、例えば、視聴ユーザが最後に広告を選択してからの経過時間であってもよい。この経過時間が短いほど選択実績が高い。例えば、表示条件決定部１４３は、視聴ユーザの広告選択履歴のうち、選択日時が最新の広告選択履歴から、選択日時を取得する。表示条件決定部１４３は、現在日時から選択日時を減算することにより、経過時間を計算することができる。広告の選択実績を示す情報は、例えば視聴ユーザによる広告の選択回数であってもよい。選択回数が多いほど選択実績が高い。例えば、表示条件決定部１４３は、履歴取得部１４２により取得された広告選択履歴の数を、選択回数としてカウントしてもよい。選択回数は、例えば過去全部の選択回数、又は現在から所定期間内の選択回数であってもよい。
【００７２】
表示条件決定部１４３は、視聴ユーザの視聴実績を示す情報、及び視聴ユーザによる広告の選択実績を示す情報に応じた表示条件を決定してもよい。具体的に、選択実績が同一である場合、表示条件決定部１４３は、視聴実績が高いほど、要求された動画を視聴ユーザが見にくい表示条件を決定する。また、視聴実績が同一である場合、表示条件決定部１４３は、選択実績が低いほど、要求された動画を視聴ユーザが見にくい表示条件を決定する。選択実績が低いほど、視聴ユーザが広告を見やすくなる。従って、視聴ユーザが広告に注意を向ける蓋然性が高くなるので、視聴ユーザによる広告の選択の実績を、これまでの選択の実績に応じて適切に高めることができる。
【００７３】
図６Ｃは、視聴ユーザによる広告の選択実績に基づく動画表示条件及び広告表示条件の決定方法の一例を示す図である。例えば、選択実績として広告が選択されてからの経過時間が用いられる場合、表示条件決定部１４３は、経過時間が短いほど、動画が見やすい表示条件を決定してもよい。そして、表示条件決定部１４３は、経過時間が長いほど、動画が見にくい表示条件を決定してもよい。例えば、選択実績として選択回数が用いられる場合、表示条件決定部１４３は、選択回数が多いほど、動画が見やすい表示条件を決定してもよい。そして、表示条件決定部１４３は、選択回数が少ないほど、動画が見にくい表示条件を決定してもよい。
【００７４】
表示条件決定部１４３は、例えば視聴ユーザの視聴実績又は要求された動画の再生実績を広告の選択回数で割ることにより、広告の１回の選択あたりの視聴ユーザの視聴実績又は動画の再生実績を計算してもよい。そして、表示条件決定部１４３は、広告の１回の選択あたりの視聴ユーザの視聴実績又は動画の再生実績が高いほど、動画が見にくい表示条件を決定してもよい。また例えば、表示条件決定部１４３は、視聴実績及び選択実績を変数とする式を用いて表示条件を決定してもよい。また例えば、視聴実績及び選択実績の組み合わせと表示条件との対応関係を示すテーブルを用いて表示条件を決定してもよい。
【００７５】
表示条件決定部１４３は、選択実績の基準値を決定してもよいし、決定しなくてもよい。視聴ユーザの選択実績が基準値よりも低い場合、表示条件決定部１４３は、例えば動画領域１１１のサイズが広告領域１１２のサイズよりも小さい表示条件を決定してもよい。視聴ユーザの選択実績が基準値よりも高い場合、表示条件決定部１４３は、例えば動画領域１１１のサイズが広告領域１１２のサイズよりも大きい表示条件を決定してもよい。選択実績の基準値は、例えば、全てのユーザの選択実績の代表値であってもよい。また例えば、選択実績の基準値は、全てのユーザのうち、視聴ユーザと視聴傾向が類似するユーザの選択実績の代表値であってもよい。また例えば、選択実績の基準値は、現在から所定期間内に動画を視聴したユーザの選択実績の代表値であってもよい。また例えば、選択実績の基準値は、現在から所定期間内に広告を選択したユーザの選択実績の代表値であってもよい。なお、表示条件決定部１４３は、視聴ユーザによる広告選択履歴のみに基づいて、表示条件を決定してもよい。
【００７６】
表示条件決定部１４３は、例えば視聴ユーザの視聴履歴と、要求された動画の視聴履歴と、視聴ユーザの広告選択履歴との組み合わせに基づいて、表示条件を決定してもよい。
【００７７】
表示条件決定部１４３は、視聴ユーザにより指定された検索条件と、要求された動画のメタ情報との関連性を特定してもよい。そして、表示条件決定部１４３は、視聴ユーザの視聴履歴と、特定した関連性との組み合わせに基づいて、表示条件を決定してもよい。例えば、検索条件としてキーワードが指定された場合、表示条件決定部１４３は、キーワードと、要求された動画のタイトル及びタグ情報に含まれる語との関連性に基づいて、表示条件を決定してもよい。表示条件決定部１４３は、関連性を示す情報として、要求された動画の検索スコアを取得してもよい。表示条件決定部１４３は、タイトル及びタグ情報のそれぞれに含まれる語と、キーワードとの関連性（検索スコア）が高いほど、高い検索スコアを決定する。検索スコアの計算方法として、例えば公知の方法が用いられてもよい。語の関連性は、例えば語の意味の類似性であってもよい。また、語の関連性は、語が用いられる状況の一致性であってもよい。また、語の関連性は、同一の動画のタイトル及びタグ情報の中に同時にそれらの語が含まれている蓋然性であってもよい。また、キーワードとの関連性が高い語がタイトルに含まれている場合の検索スコアは、その語がタグ情報に含まれている場合の検索スコアよりも高くてもよい。また、タグ情報中において、キーワードとの関連性が高い語の優先順位が高いほど、検索スコアが高くてもよい。語の優先順位は、例えばタグ情報中における語の並び順で示されてもよい。
【００７８】
図６Ｄは、検索条件と動画のメタ情報との関連性に基づく動画表示条件及び広告表示条件の決定方法の一例を示す図である。視聴実績が同一である場合、表示条件決定部１４３は、関連性が低いほど、動画が見やすい表示条件を決定してもよい。そして、表示条件決定部１４３は、関連性が高いほど、動画が見にくい表示条件を決定してもよい。検索条件との関連性が高い動画であるほど、視聴ユーザが見たい蓋然性がある動画であると考えられる。従って、視聴ユーザが動画を見たい程度に視聴ユーザに広告を選択させることができる。また、視聴ユーザが広告を選択すると、動画領域１１１が大きくなる。視聴ユーザが見たい動画であるほど、視聴ユーザはその動画を大きく表示させたい蓋然性が高い。この観点においても、視聴ユーザが動画を見たい程度に視聴ユーザに広告を選択させることができる。関連性が同一である場合、表示条件決定部１４３は、視聴実績が高いほど、要求された動画を視聴ユーザが見にくい表示条件を決定する。
【００７９】
ユーザが検索条件としてキーワードを指定すると、システム制御部１４は、指定されたキーワードをタイトル及びタグ情報の少なくとも一方が含む動画を動画ＤＢ１２ｂから検索する。このとき、システム制御部１４は、例えば視聴ユーザのユーザＩＤと、検索条件と、検索が実行された日時とを対応付けて記憶部１２に記憶する。また、システム制御部１４は、検索された各動画の検索スコアを計算する。そして、システム制御部１４は、検索された動画の一覧を検索結果としてユーザ端末２に表示させる。このとき、システム制御部１４は、例えば検索スコアが高い順に検索結果を表示させる。視聴ユーザは、検索結果から、要求する動画を選択する。検索結果に含まれる動画の検索スコアは、一般的に他の動画の検索スコアよりも高い。その理由は、タイトル及びタグ情報において、検索条件としてのキーワードに一致する語が、そのキーワードとの関連性が最も高い語だからである。
【００８０】
システム制御部１４は、要求された動画を再生するための動画再生ページ１００をユーザ端末２へ送信する。このとき、システム制御部１４は、レコメンド動画を決定する。例えば、システム制御部１４は、要求された動画のタイトル及びメタ情報に含まれる語との関連性が相対的に高い語をタイトル及びメタ情報が含む動画を、レコメンド動画に決定する。そして、システム制御部１４は、レコメンド動画のレコメンド動画情報１３０を含む動画再生ページ１００をユーザ端末２に表示させる。視聴ユーザが何れかのレコメンド動画情報１３０を選択すると、システム制御部１４は、選択されたレコメンド動画情報１３０に対応するレコメンド動画を再生するための動画再生ページ１００をユーザ端末２に表示させる。このときも、システム制御部１４は、新たにレコメンド動画を決定して、レコメンド動画情報１３０を含む動画再生ページ１００を表示させる。視聴ユーザが、レコメンド動画情報１３０の選択を繰り返すほど、再生される動画の検索スコアは低くなっていく傾向がある。その理由は、レコメンド動画は、ユーザが指定した検索条件とは無関係に決定されるからである。そのため、レコメンド動画情報１３０の選択を繰り返すに従って、動画表示条件及び広告表示条件は、動画が見やすい動画表示条件及び広告表示条件に変化している傾向がある。
【００８１】
例えば、視聴ユーザがキーワード「サッカー」を検索条件として指定する。すると、例えば、システム制御部１４は、タイトル及びメタ情報の何れかが「サッカー」を含む動画１−１、１−２及び１−３を検索したとする。動画１−１、１−２及び１−３の検索スコアは、それぞれ９５、９０及び８５であるとする。例えば視聴ユーザが動画１−１を選択したとすると、表示条件決定部１４３は、動画１−１に対応する動画表示条件及び広告表示条件として、例えば動画領域１１１の横の長さと、広告領域１１２の横の長さとの比を、１対９に決定する。また、システム制御部１４は、動画１−１に関連するレコメンド動画として、動画２−１、２−２及び２−３を検索したとする。動画２−１、２−２及び２−３の検索スコアは、それぞれ８５、８０及び７５であるとする。動画２−１〜２−３のタイトル及びメタ情報は、キーワード「サッカー」を含むかもしれないし、含まないかもしれない。動画１−１の再生中、例えば視聴ユーザが動画２−２のレコメンド動画情報１３０を選択したとすると、表示条件決定部１４３は、動画２−２に対応する動画表示条件及び広告表示条件として、例えば動画領域１１１の横の長さと、広告領域１１２の横の長さとの比を、３対７に決定する。また、システム制御部１４は、動画２−２に関連するレコメンド動画として、動画３−１、３−２及び３−３を検索したとする。動画３−１、３−２及び３−３の検索スコアは、それぞれ８０、７５及び７０であるとする。動画２−２の再生中、例えば視聴ユーザが動画３−２のレコメンド動画情報１３０を選択したとすると、表示条件決定部１４３は、動画３−２に対応する動画表示条件及び広告表示条件として、例えば動画領域１１１の横の長さと、広告領域１１２の横の長さとの比を、４対６に決定する。なお、上記の動画表示条件及び広告表示条件の例は、視聴ユーザの視聴実績に変化がなかったと仮定した場合の例である。なお、表示条件決定部１４３は、検索条件と、要求された動画のメタ情報との関連性のみに基づいて、表示条件を決定してもよい。
【００８２】
表示条件決定部１４３は、視聴ユーザの視聴履歴と、予め定められた複数の時間帯のうち視聴ユーザにより動画が要求された時間帯と同一の時間帯における動画の要求数との組み合わせに基づいて、表示条件を決定してもよい。例えば、システム制御部１４は、所定の時間が経過するごとに、時間帯ごとの動画の要求数を計算し、要求数を記憶部１２に記憶させてもよい。例えば、システム制御部１４は、視聴履歴ＤＢ１２ｄから、対象の時間帯に視聴日時が含まれる視聴履歴を取得する。システム制御部１４は、取得した視聴履歴の数を、動画の要求数としてカウントする。また、システム制御部１４は、カウントした要求数に基づいて、単位時間当たりの動画の要求数を計算してもよい。システム制御部１４は、例えば過去全部の視聴履歴に基づいて、各時間帯の動画の要求数を計算してもよい。また例えば、システム制御部１４は、現在から所定期間内の視聴履歴に基づいて、要求数を計算してもよい。また例えば、システム制御部１４は、要求された動画のカテゴリーに属する動画の要求数を計算してもよい。また例えば、システム制御部１４は、視聴ユーザと視聴傾向が類似するユーザの視聴履歴に基づいて、要求数を計算してもよい。
【００８３】
図６Ｅは、視聴ユーザにより動画が要求された時間帯と同一の時間帯における動画の要求数に基づく動画表示条件及び広告表示条件の決定方法の一例を示す図である。視聴実績が同一である場合、表示条件決定部１４３は、動画の要求数が少ない時間帯であるほど、動画が見やすい表示条件を決定してもよい。そして、表示条件決定部１４３は、動画の要求数が多い時間帯であるほど、動画が見にくい表示条件を決定してもよい。これにより動画が視聴される時間帯における動画の要求数に応じて適切な程度に、視聴ユーザに広告を選択させることができる。また、動画の要求数が多い時間帯であるほど、その時間帯に視聴ユーザが動画を見たい蓋然性がある。従って、視聴ユーザが動画を見たい程度に応じて視聴ユーザに広告を選択させることができる。動画の要求数が同一である場合、表示条件決定部１４３は、視聴実績が高いほど、要求された動画を視聴ユーザが見にくい表示条件を決定する。なお、表示条件決定部１４３は、視聴ユーザにより動画が要求された時間帯と同一の時間帯における動画の要求数のみに基づいて、表示条件を決定してもよい。
【００８４】
表示条件決定部１４３は、視聴ユーザの視聴履歴と、視聴ユーザにより要求された動画が属するカテゴリーの動画の要求数との組み合わせに基づいて、表示条件を決定してもよい。例えば、システム制御部１４は、所定の時間が経過するごとに、カテゴリーごとの動画の要求数を計算し、要求数を記憶部１２に記憶させてもよい。例えば、システム制御部１４は、視聴履歴ＤＢ１２ｄから、対象のカテゴリーのカテゴリーＩＤに対応する視聴履歴を取得する。システム制御部１４は、取得した視聴履歴の数を、動画の要求数としてカウントする。また、システム制御部１４は、カウントした要求数に基づいて、単位時間当たりの動画の要求数を計算してもよい。システム制御部１４は、例えば過去全部の視聴履歴に基づいて、各時間帯の動画の要求数を計算してもよい。また例えば、システム制御部１４は、現在から所定期間内の視聴履歴に基づいて、要求数を計算してもよい。また例えば、システム制御部１４は、視聴ユーザと視聴傾向が類似するユーザの視聴履歴に基づいて、要求数を計算してもよい。
【００８５】
図６Ｆは、要求された動画が属するカテゴリーの動画の要求数に基づく動画表示条件及び広告表示条件の決定方法の一例を示す図である。視聴実績が同一である場合、表示条件決定部１４３は、動画の要求数が少ないカテゴリーであるほど、動画が見やすい表示条件を決定してもよい。そして、表示条件決定部１４３は、動画の要求数が多いカテゴリーであるほど、動画が見にくい表示条件を決定してもよい。これにより、視聴される動画が属するカテゴリーの動画の要求数に応じて適切な程度に、視聴ユーザに広告を選択させることができる。また、要求数が多いカテゴリーであるほど、そのカテゴリーに属する動画を視聴ユーザが見たい蓋然性がある。従って、視聴ユーザが動画を見たい程度に応じて視聴ユーザに広告を選択させることができる。動画の要求数が同一である場合、表示条件決定部１４３は、視聴実績が高いほど、要求された動画を視聴ユーザが見にくい表示条件を決定する。なお、表示条件決定部１４３は、要求された動画が属するカテゴリーの動画の要求数のみに基づいて、表示条件を決定してもよい。
【００８６】
表示条件決定部１４３は、例えば（１）視聴ユーザの視聴履歴、（２）要求された動画の視聴履歴、（３）視聴ユーザの広告選択履歴、（４）検索条件と動画のメタ情報との関連性、（５）動画が要求された時間帯における動画の要求数、及び（６）要求された動画が属するカテゴリーの動画の要求数のうち少なくとも２つの組み合わせに基づいて、表示条件を決定してもよい。
【００８７】
動画取得部１４４は、ＩＤ取得部１４１により取得された動画ＩＤに対応する動画データを動画ＤＢ１２ｂから取得する。
【００８８】
広告取得部１４５は、要求された動画とともに表示される広告の広告ＩＤを決定する。そして、広告取得部１４５は、決定した広告ＩＤに対応する広告データを広告ＤＢ１２ｃから取得する。例えば、広告取得部１４５は、ランダムに広告ＩＤを決定してもよい。また例えば、広告取得部１４５は、要求された動画のタイトル及びメタ情報に基づいて、要求された動画に関連する広告の広告ＩＤを決定してもよい。また例えば、広告取得部１４５は、視聴ユーザのユーザ情報、視聴履歴及び広告選択履歴の少なくとも１つに基づいて、広告ＩＤを決定してもよい。
【００８９】
表示制御部１４６は、動画取得部１４４により取得された動画データが示す動画、及び広告取得部１４５により取得された広告データが示す広告を、表示条件決定部１４３により決定された表示条件に従ってユーザ端末２により表示させる。具体的に、表示条件決定部１４３は、動画再生ページ１００のＨＴＭＬ文書を生成してユーザ端末２へ送信する。このＨＴＭＬ文書は、例えば動画領域１１１のサイズ及び広告領域１１２のサイズを制御するためのスクリプトを含んでもよい。表示条件決定部１４３は、要求された動画の動画ＩＤ、決定された動画表示条件を示すデータ、及び決定された広告表示条件を示すデータを、このＨＴＭＬ文書に追加する。表示条件を示すデータは、例えば動画領域１１１及び広告領域１１２それぞれのサイズを示すピクセル数であってもよい。また例えば、表示条件を示すデータは、動画領域１１１及び広告領域１１２それぞれのサイズの比率であってもよい。表示制御部１４６は、生成したＨＴＭＬ文書をユーザ端末２へ送信する。
【００９０】
ユーザ端末２は、受信したＨＴＭＬ文書に基づいて、動画再生ページ１００をディスプレイに表示する。このとき、ユーザ端末２は、ＨＴＭＬ文書に含まれる表示条件のデータに基づいて、動画領域１１１及び広告領域１１２それぞれのサイズを決定する。また、ユーザ端末２は、ＨＴＭＬ文書から動画ＩＤを取得する。そして、ユーザ端末２は、取得した動画ＩＤを含む動画要求を動画配信サーバ１へ送信する。動画配信サーバ１が動画要求を受信すると、動画取得部１４４は、動画要求に含まれる動画ＩＤに対応する動画データを取得する。表示制御部１４６は、取得された動画データを、例えばストリーミングでユーザ端末２へ送信する。また、広告取得部１４５は、広告ＩＤを決定し、決定した広告ＩＤに対応する広告データを取得する。表示制御部１４６は、取得された広告データをユーザ端末２へ送信する。ユーザ端末２は、動画配信サーバ１から送信されてきた動画データに基づいて、動画領域１１１に、動画表示条件が示すサイズで動画を表示して、動画の再生を開始する。また、ユーザ端末２は、動画配信サーバ１から送信されてきた広告データに基づいて、広告領域１１２に、広告表示条件が示すサイズで広告を表示する。こうして、ユーザ端末２は、例えば図２Ａに示すように動画及び広告を表示する。なお、動画の再生中、表示される広告が例えば所定のタイミングで切り替わってもよい。
【００９１】
動画の再生中、広告領域１１２に表示されている広告が視聴ユーザにより選択された場合、ユーザ端末２は提示情報２００をディスプレイに表示する。このとき、表示条件決定部１４３は、表示条件を、動画再生ページの要求の受信時に決定した表示条件よりも、視聴ユーザが動画を見やすい表示条件に決定してもよい。そして、表示制御部１４６は、変更された表示条件に従って動画及び広告をユーザ端末２に表示させてもよい。表示条件決定部１４３は、動画領域１１１のサイズが、表示条件の変更前におけるサイズよりも大きくなるように動画表示条件を決定し、広告領域１１２のサイズが、表示条件の変更前におけるサイズよりも小さくなるように動画表示条件を決定する。これにより、図３Ａ及び図３Ｂに示すように、動画領域１１１及び広告領域１１のサイズが変化する。広告の選択により、選択前よりも動画が大きく表示されるので、視聴ユーザによる広告の選択を促進することができる。
【００９２】
広告の選択による動画領域１１１の表示サイズの拡大幅又は拡大率は、例えば予め定められてもよい。
【００９３】
また例えば、表示条件決定部１４３は、選択された広告のクリックスルーレート（ＣＴＲ）又は転換率（ＣＶＲ）に基づいて、動画領域１１１の表示サイズの拡大幅又は拡大率を決定してもよい。例えば、表示条件決定部１４３は、クリックスルーレート又は転換率が低いほど、拡大幅又は拡大率を大きくしてもよい。これにより、クリックスルーレート又は転換率が低い広告のクリックスルーレート又は転換率を高めることができる。例えば、記憶部１２に、広告の表示履歴を格納するデータベースが構築されていてもよい。表示条件決定部１４３は、広告表示履歴と広告選択履歴とに基づいて、クリックスルーレートを計算することができる。また例えば、表示条件決定部１４３は、所定のサーバ装置から転換率を取得してもよい。
【００９４】
また例えば、表示条件決定部１４３は、視聴ユーザによる提示情報２００の閲覧時間又は提示情報２００の表示時間に基づいて、動画領域１１１の表示サイズの拡大幅又は拡大率を決定してもよい。例えば、表示条件決定部１４３は、閲覧時間又は表示時間が長いほど、拡大幅又は拡大率を大きくしてもよい。これにより、視聴ユーザがより長い時間、提示情報を見ることを促進することができる。例えば、広告領域１１２の広告が選択されると、ユーザ端末２は動画の再生を一時停止してもよい。その後、視聴ユーザが再生ボタンを押すと、動画の再生が再開する。表示条件決定部１４３は、広告が選択されてから動画の再生が再開するまでの経過時間を閲覧時間として計算してもよい。また例えば、表示条件決定部１４３は、広告が選択されてから提示情報２００のウインドウが視聴ユーザにより閉じられるまでの経過時間を表示時間として計算してもよい。また、提示情報２００を表示するとき、ユーザ端末２は、ディスプレイに表示されるウインドウのうち提示情報２００のウインドウを最前面に表示する。すなわち、提示情報２００のウインドウがアクティブになる。提示情報２００を見ることを止めて、動画の視聴を再開するとき、視聴ユーザは、動画再生ページ１００のウインドウをアクティブにする。そこで例えば、表示条件決定部１４３は、広告が選択されてから動画再生ページ１００のウインドウがアクティブになるまでの経過時間を表示時間として計算してもよい。例えば、ユーザ端末２のブラウザに組み込まれるアドオンプログラム等により、ユーザ端末２は、経過時間を動画配信サーバ１へ送信することができる。
【００９５】
表示条件決定部１４３は、動画の再生中、動画の再生が開始されてから所定のタイミングごとに、表示条件を更新してもよい。このとき、表示条件決定部１４３は、更新直前の表示条件よりも視聴ユーザが動画を見にくい表示条件に、表示条件を更新してもよい。従って、表示条件決定部１４３は、動画の再生時間が長くなるほど、表示条件を、視聴ユーザが動画をより見やすい表示条件に更新することになる。これにより、１回の動画の再生における視聴ユーザのその動画の視聴実績に応じた適切な蓋然性で、視聴ユーザに広告を選択させることができる。また、上述したように、視聴ユーザが広告を選択すると、動画領域１１１が大きくなる。再生時間の経過に従って動画領域１１１が或る程度小さくなると、視聴ユーザは、広告を選択することにより、動画領域１１１を大きくすることができる。そのため、１回の動画の再生における視聴ユーザのその動画の視聴実績に応じた適切な頻度で、視聴ユーザに広告を選択させることができる。
【００９６】
図７Ａは、動画の再生が開始されたときの動画領域１１１及び広告領域１１２の一例を示す図である。このとき、再生時間は０秒である。図７Ａに示すように、動画領域１１１の横の長さと、広告領域１１２の横の長さとの比は、例えば７対３である。図７Ｂは、再生時間が１０分経過したときの動画領域１１１及び広告領域１１２の一例を示す図である。図７Ｂに示すように、動画領域１１１の横の長さと、広告領域１１２の横の長さとの比は、例えば６．５対３．５である。図７Ｃは、再生時間が２０分経過したときの動画領域１１１及び広告領域１１２の一例を示す図である。図７Ｃに示すように、動画領域１１１の横の長さと、広告領域１１２の横の長さとの比は、例えば６対４である。図７Ａ〜図７Ｃの例では、表示条件が更新される間隔は１０分である。
【００９７】
表示条件が更新されるタイミング又は間隔は、例えば予め定められてもよい。また例えば、表示条件決定部１４３は、何らかの情報に基づいて、表示条件が更新される再生時間の間隔を決定してもよい。表示条件が更新される再生時間の間隔を、「表示条件更新間隔」という。
【００９８】
例えば、表示条件決定部１４３は、ＩＤ取得部１４１により取得された視聴ユーザの視聴履歴に基づいて、表示条件更新間隔を決定してもよい。この場合、表示条件決定部１４３は、視聴ユーザの視聴履歴に基づいて、視聴ユーザの視聴実績を決定し、視聴実績に応じて表示条件更新間隔を決定してもよい。上述したように、視聴実績の例として、視聴ユーザの視聴時間及び視聴回数が挙げられる。例えば、表示条件決定部１４３は、視聴実績が高いほど短い表示条件更新間隔を決定し、視聴実績が低いほど長い表示条件更新間隔を決定してもよい。これにより、視聴者のこれまでの動画の視聴実績と、１回の動画の再生における視聴ユーザのその動画の視聴実績とに応じた適切な蓋然性で、視聴ユーザに広告を選択させることができる。
【００９９】
また例えば、表示条件決定部１４３は、ＩＤ取得部１４１により取得された要求された動画の視聴履歴に基づいて、表示条件更新間隔を決定してもよい。この場合、表示条件決定部１４３は、要求された動画の視聴履歴に基づいて、要求された動画の再生実績を決定し、再生実績に応じて表示条件更新間隔を決定してもよい。上述したように、再生実績の例として、要求された動画の再生時間及び再生回数が挙げられる。例えば、表示条件決定部１４３は、再生実績が高いほど短い表示条件更新間隔を決定し、再生実績が低いほど長い表示条件更新間隔を決定してもよい。これにより、要求された動画の再生実績と、１回の動画の再生における視聴ユーザのその動画の視聴実績とに応じた適切な蓋然性で、視聴ユーザに広告を選択させることができる。
【０１００】
また例えば、表示条件決定部１４３は、視聴ユーザの視聴履歴と要求された動画の視聴履歴との組み合わせに基づいて、表示条件更新間隔を決定してもよい。
【０１０１】
［４．情報処理システムの動作］
次に、情報処理システムＳの動作について、図８及び図９を用いて説明する。図８及び図９は、本実施形態に係る動画配信サーバ１のシステム制御部１４の動画配信処理の一例を示すフローチャートである。図８及び図９に示す例は、（１）視聴ユーザの視聴履歴、（２）要求された動画の視聴履歴、（３）視聴ユーザの広告選択履歴、（４）検索条件と動画のメタ情報との関連性、（５）動画が要求された時間帯における動画の要求数、及び（６）要求された動画が属するカテゴリーの動画の要求数の全てに基づいて、表示条件が決定される場合の例である。
【０１０２】
動画配信サーバ１がユーザ端末２から動画再生ページの要求を受信したとき、システム制御部１４は動画配信処理を実行する。図８に示すように、ＩＤ取得部１４１は、受信した要求に基づいて、視聴ユーザのユーザＩＤ及び要求された動画の動画ＩＤを取得する（ステップＳ１）。
【０１０３】
次いで、履歴取得部１４２は、視聴ユーザのユーザＩＤに対応する視聴履歴を視聴履歴ＤＢ１２ｄから取得する（ステップＳ２）。次いで、表示条件決定部１４３は、取得された視聴履歴に基づいて、視聴ユーザの動画の視聴実績を決定する（ステップＳ３）。
【０１０４】
次いで、履歴取得部１４２は、視聴ユーザのユーザＩＤに対応する広告選択履歴を広告選択履歴ＤＢ１２ｅから取得する（ステップＳ４）。次いで、表示条件決定部１４３は取得された広告選択履歴に基づいて、視聴ユーザの広告の選択実績を決定する（ステップＳ５）。
【０１０５】
次いで、履歴取得部１４２は、要求された動画の動画ＩＤに対応する視聴履歴を視聴履歴ＤＢ１２ｄから取得する（ステップＳ６）。次いで、表示条件決定部１４３は、取得された視聴履歴に基づいて、要求された動画の再生実績を決定する（ステップＳ７）。
【０１０６】
次いで、表示条件決定部１４３は、要求された動画の検索スコアを取得する（ステップＳ８）。例えば、要求された動画が、検索条件に基づいて検索された動画である場合、表示条件決定部１４３は、検索時に計算された検索スコアを取得してもよい。例えば、要求された動画がレコメンド動画である場合、表示条件決定部１４３は、視聴ユーザに指定された検索条件と、要求された動画のメタ情報に基づいて、検索スコアを計算してもよい。
【０１０７】
次いで、表示条件決定部１４３は、予め定められた複数の時間帯のうち、現在時刻を含む時間帯を特定する。そして、表示条件決定部１４３は、特定された時間帯に対応する動画の要求数を記憶部１２から取得する（ステップＳ９）。
【０１０８】
次いで、表示条件決定部１４３は、要求された動画の動画ＩＤに対応するカテゴリーＩＤを動画ＤＢ１２ｂから取得する。そして、表示条件決定部１４３は、取得したカテゴリーＩＤが示すカテゴリーの動画の要求数を記憶部１２から取得する（ステップＳ１０）。
【０１０９】
次いで、表示条件決定部１４３は、動画表示条件及び広告表示条件を決定する（ステップＳ１１）。具体的に、表示条件決定部１４３は、視聴ユーザの動画の視聴実績が高いほど、動画が見にくい表示条件を決定する。また、表示条件決定部１４３は、要求された動画の再生実績が高いほど、動画が見にくい表示条件を決定する。また、表示条件決定部１４３は、視聴ユーザの広告の選択実績が高いほど、動画が見やすい表示条件を決定する。また、表示条件決定部１４３は、検索スコアが高いほど、動画が見にくい表示条件を決定する。また、表示条件決定部１４３は、現在時刻を含む時間帯の動画の要求数が多いほど、動画が見にくい表示条件を決定する。また、表示条件決定部１４３は、要求された動画が属するカテゴリーの動画の要求数が多いほど、動画が見にくい表示条件を決定する。表示条件決定部１４３は、表示条件として、例えば動画領域１１１及び広告領域１１２のそれぞれのサイズ又はサイズの比率を決定する。
【０１１０】
次いで、表示制御部１４６は、動画再生ページのＨＴＭＬ文書を生成する（ステップＳ１２）。このとき、表示制御部１４６は、要求された動画の動画ＩＤ、決定された動画表示条件を示すデータ、及び決定された広告表示条件を示すデータを、このＨＴＭＬ文書に追加する。そして、表示制御部１４６は、生成されたＨＴＭＬ文書をユーザ端末２へ送信する。
【０１１１】
ユーザ端末２は、受信したＨＴＭＬ文書に基づいて、動画再生ページ１００をディスプレイに表示する。このとき、ユーザ端末２は、ＨＴＭＬ文書に含まれる表示条件のデータに基づいて、動画領域１１１及び広告領域１１２それぞれのサイズ及び位置を決定する。また、ユーザ端末２は、ＨＴＭＬ文書から動画ＩＤを取得する。そして、ユーザ端末２は、取得した動画ＩＤを含む動画要求を動画配信サーバ１へ送信する。動画取得部１４４は、動画要求を受信する（ステップＳ１３）。次いで、動画取得部１４４は、動画要求に含まれる動画ＩＤに対応する動画データを動画ＤＢ１２ｂから取得する（ステップＳ１４）。次いで、表示制御部１４６は、所得された動画データのストリーミング送信を開始する（ステップＳ１５）。
【０１１２】
次いで、広告取得部１４５は、広告ＩＤを決定する。そして、広告取得部１４５は、決定した広告ＩＤに対応する広告データを広告ＤＢ１２ｃから取得する（ステップＳ１６）。次いで、表示制御部１４６は、取得された取得された広告データをユーザ端末２へ送信する（ステップＳ１７）。
【０１１３】
ユーザ端末２は、動画データに基づいて、動画領域１１１内に、動画領域１１１のサイズで動画を表示する。また、ユーザ端末２は、広告データに基づいて、広告領域１１２内に、広告領域１１２のサイズで広告を表示する。
【０１１４】
次いで、表示条件決定部１４３は、表示条件更新間隔を決定する。例えば、表示条件決定部１４３は、記憶部１２から、予め定められた表示条件更新間隔を取得してもよい。また例えば、表示条件決定部１４３は、視聴ユーザの視聴履歴及び要求された動画の視聴履歴の少なくとも一方に基づいて、表示条件更新間隔を決定してもよい。そして、図９に示すように、表示条件決定部１４３は、次回更新再生時間を、表示条件更新間隔に設定する（ステップＳ２１）。
【０１１５】
次いで、表示条件決定部１４３は、ユーザ端末２から提供情報要求を受信したか否かを判定する（ステップＳ２２）。視聴ユーザが広告領域１１２の広告を選択したとき、ユーザ端末２は提供情報要求を動画配信サーバ１へ送信する。表示条件決定部１４３は、提供情報要求を受信していないと判定した場合には（ステップＳ２２：ＮＯ）、処理をステップＳ２７に進める。一方、表示条件決定部１４３は、提供情報要求を受信したと判定した場合には（ステップＳ２２：ＹＥＳ）、処理をステップＳ２３に進める。
【０１１６】
ステップＳ２３において、表示制御部１４６は、提供情報要求をリダイレクトする。例えば、表示制御部１４６は、広告取得部１４５により決定された広告ＩＤに対応する提供情報ＵＲＬを広告ＤＢ１２ｃから取得する。表示制御部１４６は、リダイレクトを示すステータスコードと提供情報ＵＲＬとを含む応答をユーザ端末２へ送信する。応答を受信したユーザ端末２は、応答に含まれる提供情報ＵＲＬが示す提供情報２００の要求を、その提供情報２００を配信するサーバ装置へ送信する。そして、ユーザ端末２は、そのサーバ装置から受信した提供情報２００をディスプレイに表示する。
【０１１７】
次いで、表示制御部１４６は、広告選択履歴を登録する（ステップＳ２４）。具体的に、表示制御部１４６は、視聴ユーザのユーザＩＤ、決定された広告ＩＤ、及び選択日時としての現在日時を対応付けて広告選択履歴として、広告選択履歴ＤＢ１２ｅに登録する。
【０１１８】
次いで、表示条件決定部１４３は、動画表示条件及び広告表示条件を、現在の動画表示条件及び広告表示条件よりも、動画が見やすい動画表示条件及び広告表示条件に変更する（ステップＳ２５）。例えば、表示条件決定部１４３は、現在の動画領域１１１の横の長さ又はその比率に所定値を加算して、変更された動画領域１１１の横の長さ又はその比率を決定してもよい。そして、表示条件決定部１４３は、現在の広告領域１１２の横の長さ又はその比率から所定値を減算して、変更された広告領域１１２の横の長さ又はその比率を決定してもよい。また例えば、表示条件決定部１４３は、選択された広告のクリックスルーレート、転換率等に基づいて、動画領域１１１の拡大幅又は拡大率を決定してもよい。表示条件決定部１４３は、動画領域１１１のサイズが領域１１０のサイズ以下となるように、動画表示条件及び広告表示条件を変更する。表示制御部１４６は、変更された動画表示条件及び広告表示条件を示すデータをユーザ端末２へ送信する（ステップＳ２６）。そして、表示制御部１４６は、処理をステップＳ２７に進める。
【０１１９】
ユーザ端末２は、受信した動画表示条件及び広告表示条件に従って動画領域１１１及び広告領域１１２のサイズを変更する。そして、ユーザ端末２は、サイズが変更された動画領域１１１内に、変更後のサイズで動画を表示する。また、ユーザ端末２は、サイズが変更された広告領域１１２内に、変更後のサイズで広告を表示する。
【０１２０】
ステップＳ２７において、表示条件決定部１４３は、ユーザ端末２による動画の現在の再生時間が次回更新再生時間を超えたか否かを判定する。例えば、ユーザ端末２は、動画の再生中、所定時間が経過するごとに、現在の再生時間を動画配信サーバへ送信してもよい。表示条件決定部１４３は、現在の再生時間が次回更新再生時間を超えていないと判定した場合には（ステップＳ２７：ＮＯ）、処理をステップＳ３１に進める。一方、表示条件決定部１４３は、現在の再生時間が次回更新再生時間を超えたと判定した場合には（ステップＳ２７：ＹＥＳ）、処理をステップＳ２８に進める。
【０１２１】
ステップＳ２８において、表示条件決定部１４３は、動画表示条件及び広告表示条件を、現在の動画表示条件及び広告表示条件よりも、動画が見にくい動画表示条件及び広告表示条件に変更する。例えば、表示条件決定部１４３は、現在の動画領域１１１の横の長さ又はその比率から所定値を減算して、変更された動画領域１１１の横の長さ又はその比率を決定してもよい。そして、表示条件決定部１４３は、現在の広告領域１１２の横の長さ又はその比率に所定値を加算して、変更された広告領域１１２の横の長さ又はその比率を決定してもよい。表示条件決定部１４３は、動画領域１１１のサイズが０よりも大きくなるように、動画表示条件及び広告表示条件を変更する。表示制御部１４６は、変更された動画表示条件及び広告表示条件を示すデータをユーザ端末２へ送信する（ステップＳ２９）。
【０１２２】
ユーザ端末２は、受信した動画表示条件及び広告表示条件に従って動画領域１１１及び広告領域１１２のサイズを変更する。そして、ユーザ端末２は、サイズが変更された動画領域１１１内に、変更後のサイズで動画を表示する。また、ユーザ端末２は、サイズが変更された広告領域１１２内に、変更後のサイズで広告を表示する。
【０１２３】
次いで、表示条件決定部１４３は、次回更新再生時間に表示条件更新間隔を加算して、次回更新再生時間を更新する（ステップＳ３０）。そして、表示条件決定部１４３は、処理をステップＳ３１に進める。
【０１２４】
ステップＳ３１において、表示制御部１４６は、ユーザ端末２による動画の再生が終了したか否かを判定する。例えば、視聴ユーザが動画再生ページ１００に対して何らかの操作をすることにより、ユーザ端末２が何らかのウェブページの要求を新たに動画配信サーバ１へ送信したとき、表示制御部１４６は、動画の再生が終了したと判定してもよい。この要求の例として、レコメンド動画情報１３０の選択による、新たな動画再生ページ１００の要求が挙げられる。また例えば、視聴ユーザが、ブラウザを終了したとき、又は動画再生ページ１００のウインドウを閉じたとき、表示制御部１４６は、動画の再生が終了したと判定してもよい。表示制御部１４６は、動画の再生が終了していないと判定した場合には（ステップＳ３１：ＮＯ）、処理をステップＳ２２に進める。一方、表示制御部１４６は、動画の再生が終了したと判定した場合には（ステップＳ３１：ＹＥＳ）、処理をステップＳ３２に進める。
【０１２５】
ステップＳ３２において、表示制御部１４６は、視聴履歴を登録する。具体的に、表示制御部１４６は、視聴ユーザのユーザＩＤ、要求された動画の動画ＩＤ、視聴日時として、動画再生ページ１００のＨＴＭＬが送信された日時、及び現在の再生時間を対応付けて視聴履歴として、視聴履歴ＤＢ１２ｄに登録する。そして、表示制御部１４６は、動画配信処理を終了させる。
【０１２６】
以上説明したように、本実施形態によれば、システム制御部１４が、視聴ユーザのユーザＩＤと、要求された動画の動画ＩＤとを取得する。また、システム制御部１４が、取得されたユーザＩＤに基づいて、記憶部１２に記憶された、視聴ユーザによる動画の視聴履歴を取得する。また、システム制御部１４が、取得された視聴履歴に基づいて、動画表示条件及び広告表示条件を決定する。また、システム制御部１４が、動画及び広告を、動画表示条件及び広告表示条件に従って表示させる。従って、視聴ユーザによる動画の視聴の実績に応じて期待された程度にその視聴ユーザに広告を選択させることができる。
【０１２７】
また、システム制御部１４が、視聴ユーザの視聴履歴と、要求された動画の視聴履歴とに基づいて、表示条件を決定してもよい。この場合、要求された動画の表示の実績に応じた程度に視聴ユーザに広告を選択させることができる。
【０１２８】
また、システム制御部１４が、視聴ユーザの視聴履歴と、視聴ユーザによる広告の選択履歴とに基づいて、表示条件を決定してもよい。この場合、視聴ユーザによる広告の選択の実績に応じた程度にその視聴ユーザに広告を選択させることができる。
【０１２９】
また、システム制御部１４が、視聴ユーザの視聴履歴、及び視聴ユーザにより指定された検索条件と、要求された動画のメタ情報との関連性に基づいて、表示条件を決定してもよい。この場合、検索条件と動画のメタ情報との関連性に応じた程度に、視聴ユーザに広告を選択させることができる。
【０１３０】
また、システム制御部１４が、視聴ユーザの視聴履歴と、視聴ユーザにより動画が要求された時間帯における動画の要求数とに基づいて、表示条件を決定してもよい。この場合、動画が要求された時間帯における動画の要求数に応じた程度に、視聴ユーザに広告を選択させることができる。
【０１３１】
また、システム制御部１４が、視聴ユーザの視聴履歴と、要求された動画が属するカテゴリーの動画の要求数とに基づいて、表示条件を決定してもよい。この場合、要求された動画が属するカテゴリーの動画の要求数に応じた程度に、視聴ユーザに広告を選択させることができる。
【０１３２】
また、システム制御部１４が、動画及び広告が表示されているときにその広告が視聴ユーザにより選択された場合、表示条件を、変更前の表示条件よりも動画を見やすい表示条件に変更してもよい。そして、システム制御部１４が、動画及び広告を、変更された表示条件に従って表示させてもよい。この場合、視聴ユーザにより広告の選択を促進することができる。
【０１３３】
また、システム制御部１４が、要求された動画の表示が開始されてから所定のタイミングごとに、要求された動画及び広告の表示条件を更新してもよい。このとき、システム制御部１４は、更新前の表示条件よりも視聴ユーザが要求された動画を見にくい表示条件に、表示条件を更新してもよい。そして、システム制御部１４が表示条件が更新されるごとに、動画及び広告を、更新された表示条件に従って表示させてもよい。この場合、動画が表示された時間が長くなるにつれて次第に、動画及び広告が、より動画が見にくい表示条件で表示される。従って、１回の動画の再生において、視聴ユーザによるその動画の視聴の実績に応じた蓋然性でその視聴ユーザに広告を選択させることができる。
【０１３４】
また、システム制御部１４が、視聴ユーザの視聴履歴及び要求された動画の視聴履歴の少なくとも一方に基づいて、表示条件更新間隔を決定してもよい。そして、システム制御部１４が、決定された表示条件更新間隔で表示条件を更新してもよい。この場合、視聴ユーザによる動画の視聴の実績及び要求された動画の表示の実績の少なくとも一方に応じた蓋然性で視聴ユーザに広告を選択させることができる。
【符号の説明】
【０１３５】
１  動画配信サーバ
２  ユーザ端末
１１  通信部
１２  記憶部
１２ａ  ユーザ情報ＤＢ
１２ｂ  動画ＤＢ
１２ｃ  広告ＤＢ
１２ｄ  視聴履歴ＤＢ
１２ｆ  広告選択履歴ＤＢ
１３  入出力インターフェース
１４  システム制御部
１４ａ  ＣＰＵ
１４ｂ  ＲＯＭ
１４ｃ  ＲＡＭ
１５  システムバス
ＮＷ  ネットワーク
Ｓ  情報処理システム
【図１】
2016194041.tif 000003
【図２Ａ】
2016194041.tif 000004
【図２Ｂ】
2016194041.tif 000005
【図２Ｃ】
2016194041.tif 000006
【図３Ａ】
2016194041.tif 000007
【図３Ｂ】
2016194041.tif 000008
【図４Ａ】
2016194041.tif 000009
【図４Ｂ】
2016194041.tif 000010
【図５】
2016194041.tif 000011
【図６Ａ】
2016194041.tif 000012
【図６Ｂ】
2016194041.tif 000013
【図６Ｃ】
2016194041.tif 000014
【図６Ｄ】
2016194041.tif 000015
【図６Ｅ】
2016194041.tif 000016
【図６Ｆ】
2016194041.tif 000017
【図７Ａ】
2016194041.tif 000018
【図７Ｂ】
2016194041.tif 000019
【図７Ｃ】
2016194041.tif 000020
【図８】
2016194041.tif 000021
【図９】
2016194041.tif 000022
【手続補正書】
【提出日】平成29年11月10日(2017.11.10)
【手続補正１】
【補正対象書類名】特許請求の範囲
【補正対象項目名】全文
【補正方法】変更
【補正の内容】
【特許請求の範囲】
【請求項１】
動画を要求するユーザを識別するユーザ識別情報と、要求された前記動画を識別する動画識別情報とを取得する識別情報取得手段と、
前記取得されたユーザ識別情報に対応する第１表示履歴及び前記取得された動画識別情報に対応する第２表示履歴の少なくとも何れか一方の表示履歴を表示履歴記憶手段から取得する表示履歴取得手段と、
前記取得された少なくとも何れか一方の表示履歴、及び前記ユーザにより指定された検索条件と、前記要求された動画のメタ情報との関連性に基づいて、前記要求された動画を表示するための第１の表示条件と、前記動画とともに表示される広告を表示するための表示条件であって前記第１の表示条件に応じた第２の表示条件とを決定する決定手段と、
前記取得された動画識別情報に対応する動画を動画記憶手段から取得する動画取得手段と、
広告記憶手段から前記広告を取得する広告取得手段と、
前記取得された動画及び広告を、前記決定された表示条件に従って表示させる表示制御手段と、
を備えることを特徴とする情報処理装置。
【請求項２】
動画を要求するユーザを識別するユーザ識別情報と、要求された前記動画を識別する動画識別情報とを取得する識別情報取得手段と、
前記取得されたユーザ識別情報に対応する第１表示履歴及び前記取得された動画識別情報に対応する第２表示履歴の少なくとも何れか一方の表示履歴を表示履歴記憶手段から取得する表示履歴取得手段と、
前記取得された少なくとも何れか一方の表示履歴と、複数の時間帯のうち前記ユーザにより前記動画が要求された時間帯における動画の要求数とに基づいて、前記要求された動画を表示するための第１の表示条件と、前記動画とともに表示される広告を表示するための表示条件であって前記第１の表示条件に応じた第２の表示条件とを決定する決定手段と、
前記取得された動画識別情報に対応する動画を動画記憶手段から取得する動画取得手段と、
広告記憶手段から前記広告を取得する広告取得手段と、
前記取得された動画及び広告を、前記決定された表示条件に従って表示させる表示制御手段と、
を備えることを特徴とする情報処理装置。
【請求項３】
動画を要求するユーザを識別するユーザ識別情報と、要求された前記動画を識別する動画識別情報とを取得する識別情報取得手段と、
前記取得されたユーザ識別情報に対応する第１表示履歴及び前記取得された動画識別情報に対応する第２表示履歴の少なくとも何れか一方の表示履歴を表示履歴記憶手段から取得する表示履歴取得手段と、
前記取得された少なくとも何れか一方の表示履歴と、それぞれ複数の動画が属する複数の区分のうち前記要求された動画が属する区分の動画の要求数とに基づいて、前記要求された動画を表示するための第１の表示条件と、前記動画とともに表示される広告を表示するための表示条件であって前記第１の表示条件に応じた第２の表示条件とを決定する決定手段と、
前記取得された動画識別情報に対応する動画を動画記憶手段から取得する動画取得手段と、
広告記憶手段から前記広告を取得する広告取得手段と、
前記取得された動画及び広告を、前記決定された表示条件に従って表示させる表示制御手段と、
を備えることを特徴とする情報処理装置。
【請求項４】
動画を要求するユーザを識別するユーザ識別情報と、要求された前記動画を識別する動画識別情報とを取得する識別情報取得手段と、
前記取得されたユーザ識別情報に対応する第１表示履歴及び前記取得された動画識別情報に対応する第２表示履歴の少なくとも何れか一方の表示履歴を表示履歴記憶手段から取得する表示履歴取得手段と、
前記取得された少なくとも何れか一方の表示履歴に基づいて、前記要求された動画を表示するための第１の表示条件と、前記動画とともに表示される広告を表示するための表示条件であって前記第１の表示条件に応じた第２の表示条件とを決定する決定手段と、
前記取得された動画識別情報に対応する動画を動画記憶手段から取得する動画取得手段と、
広告記憶手段から前記広告を取得する広告取得手段と、
前記取得された動画及び広告を、前記決定された表示条件に従って表示させる表示制御手段と、
前記取得された少なくとも何れか一方の表示履歴に基づいて、前記要求された動画及び前記広告の表示条件を更新する間隔を決定する間隔決定手段と、
前記要求された動画の表示が開始されてから前記決定された間隔で、前記表示条件を更新する更新手段であって、更新前の表示条件よりも前記ユーザが前記要求された動画を見にくい表示条件に更新する更新手段と、
を備え、
前記表示制御手段は、前記表示条件が更新されるごとに、前記要求された動画及び前記広告を、更新された前記表示条件に従って表示させることを特徴とする情報処理装置。
【請求項５】
請求項１乃至４の何れか１項に記載の情報処理装置において、
前記決定手段は、前記第１表示履歴及び前記第２表示履歴に基づいて、前記表示条件を決定することを特徴とする情報処理装置。
【請求項６】
請求項１乃至５の何れか１項に記載の情報処理装置において、
前記取得されたユーザ識別情報に対応する広告の選択履歴を広告選択履歴記憶手段から取得する広告選択履歴取得手段を更に備え、
前記決定手段は、前記取得された少なくとも何れか一方の表示履歴と、前記取得された選択履歴とに基づいて、前記表示条件を決定することを特徴とする情報処理装置。
【請求項７】
請求項１乃至６の何れか１項に記載の情報処理装置において、
前記要求された動画及び前記広告が表示されているときに該広告が前記ユーザにより選択された場合、前記決定された表示条件を、該表示条件よりも前記ユーザが前記要求された動画を見やすい表示条件に変更する変更手段を更に備え、
前記表示制御手段は、前記要求された動画及び前記広告を、前記変更された表示条件に従って表示させることを特徴とする情報処理装置。
【請求項８】
コンピュータにより実行される情報処理方法であって、
動画を要求するユーザを識別するユーザ識別情報と、要求された前記動画を識別する動画識別情報とを取得する識別情報取得ステップと、
前記取得されたユーザ識別情報に対応する第１表示履歴及び前記取得された動画識別情報に対応する第２表示履歴の少なくとも何れか一方の表示履歴を表示履歴記憶手段から取得する表示履歴取得ステップと、
前記取得された少なくとも何れか一方の表示履歴と、複数の時間帯のうち前記ユーザにより前記動画が要求された時間帯における動画の要求数とに基づいて、前記要求された動画を表示するための第１の表示条件と、前記動画とともに表示される広告を表示するための表示条件であって前記第１の表示条件に応じた第２の表示条件とを決定する決定ステップと、
前記取得された動画識別情報に対応する動画を動画記憶手段から取得する動画取得ステップと、
広告記憶手段から前記広告を取得する広告取得ステップと、
前記取得された動画及び広告を、前記決定された表示条件に従って表示させる表示制御ステップと、
を含むことを特徴とする情報処理方法。
【請求項９】
コンピュータを、
動画を要求するユーザを識別するユーザ識別情報と、要求された前記動画を識別する動画識別情報とを取得する識別情報取得手段と、
前記取得されたユーザ識別情報に対応する第１表示履歴及び前記取得された動画識別情報に対応する第２表示履歴の少なくとも何れか一方の表示履歴を表示履歴記憶手段から取得する表示履歴取得手段と、
前記取得された少なくとも何れか一方の表示履歴と、複数の時間帯のうち前記ユーザにより前記動画が要求された時間帯における動画の要求数とに基づいて、前記要求された動画を表示するための第１の表示条件と、前記動画とともに表示される広告を表示するための表示条件であって前記第１の表示条件に応じた第２の表示条件とを決定する決定手段と、
前記取得された動画識別情報に対応する動画を動画記憶手段から取得する動画取得手段と、
広告記憶手段から前記広告を取得する広告取得手段と、
前記取得された動画及び広告を、前記決定された表示条件に従って表示させる表示制御手段と、
として機能させることを特徴とする情報処理プログラム。
【手続補正２】
【補正対象書類名】明細書
【補正対象項目名】０００６
【補正方法】変更
【補正の内容】
【０００６】
上記課題を解決するために、請求項１に記載の発明は、動画を要求するユーザを識別するユーザ識別情報と、要求された前記動画を識別する動画識別情報とを取得する識別情報取得手段と、前記取得されたユーザ識別情報に対応する第１表示履歴及び前記取得された動画識別情報に対応する第２表示履歴の少なくとも何れか一方の表示履歴を表示履歴記憶手段から取得する表示履歴取得手段と、前記取得された少なくとも何れか一方の表示履歴、及び前記ユーザにより指定された検索条件と、前記要求された動画のメタ情報との関連性に基づいて、前記要求された動画を表示するための第１の表示条件と、前記動画とともに表示される広告を表示するための表示条件であって前記第１の表示条件に応じた第２の表示条件とを決定する決定手段と、前記取得された動画識別情報に対応する動画を動画記憶手段から取得する動画取得手段と、広告記憶手段から前記広告を取得する広告取得手段と、前記取得された動画及び広告を、前記決定された表示条件に従って表示させる表示制御手段と、を備えることを特徴とする。
【手続補正３】
【補正対象書類名】明細書
【補正対象項目名】０００７
【補正方法】変更
【補正の内容】
【０００７】
この発明によれば、情報処理装置が、動画を要求するユーザによる動画の表示履歴及び要求された動画の表示履歴の少なくとも何れか一方に基づいて、動画の表示条件、及び広告の表示条件を決定する。そして、情報処理装置が、動画の表示条件、及び広告の表示条件に従って、動画及び広告を表示させる。従って、ユーザによる動画の視聴の実績及び要求された動画の表示の実績の少なくとも何れか一方に応じて期待された程度にそのユーザに広告を選択させることができる。
また、この発明によれば、検索条件と動画のメタ情報との関連性に応じた程度に、ユーザに広告を選択させることができる。
請求項２に記載の発明は、動画を要求するユーザを識別するユーザ識別情報と、要求された前記動画を識別する動画識別情報とを取得する識別情報取得手段と、前記取得されたユーザ識別情報に対応する第１表示履歴及び前記取得された動画識別情報に対応する第２表示履歴の少なくとも何れか一方の表示履歴を表示履歴記憶手段から取得する表示履歴取得手段と、前記取得された少なくとも何れか一方の表示履歴と、複数の時間帯のうち前記ユーザにより前記動画が要求された時間帯における動画の要求数とに基づいて、前記要求された動画を表示するための第１の表示条件と、前記動画とともに表示される広告を表示するための表示条件であって前記第１の表示条件に応じた第２の表示条件とを決定する決定手段と、前記取得された動画識別情報に対応する動画を動画記憶手段から取得する動画取得手段と、広告記憶手段から前記広告を取得する広告取得手段と、前記取得された動画及び広告を、前記決定された表示条件に従って表示させる表示制御手段と、を備えることを特徴とする。
この発明によれば、情報処理装置が、動画を要求するユーザによる動画の表示履歴及び要求された動画の表示履歴の少なくとも何れか一方に基づいて、動画の表示条件、及び広告の表示条件を決定する。そして、情報処理装置が、動画の表示条件、及び広告の表示条件に従って、動画及び広告を表示させる。従って、ユーザによる動画の視聴の実績及び要求された動画の表示の実績の少なくとも何れか一方に応じて期待された程度にそのユーザに広告を選択させることができる。
また、この発明によれば、動画が要求された時間帯における動画の要求数に応じた程度に、ユーザに広告を選択させることができる。
請求項３に記載の発明は、動画を要求するユーザを識別するユーザ識別情報と、要求された前記動画を識別する動画識別情報とを取得する識別情報取得手段と、前記取得されたユーザ識別情報に対応する第１表示履歴及び前記取得された動画識別情報に対応する第２表示履歴の少なくとも何れか一方の表示履歴を表示履歴記憶手段から取得する表示履歴取得手段と、前記取得された少なくとも何れか一方の表示履歴と、それぞれ複数の動画が属する複数の区分のうち前記要求された動画が属する区分の動画の要求数とに基づいて、前記要求された動画を表示するための第１の表示条件と、前記動画とともに表示される広告を表示するための表示条件であって前記第１の表示条件に応じた第２の表示条件とを決定する決定手段と、前記取得された動画識別情報に対応する動画を動画記憶手段から取得する動画取得手段と、広告記憶手段から前記広告を取得する広告取得手段と、前記取得された動画及び広告を、前記決定された表示条件に従って表示させる表示制御手段と、を備えることを特徴とする。
この発明によれば、情報処理装置が、動画を要求するユーザによる動画の表示履歴及び要求された動画の表示履歴の少なくとも何れか一方に基づいて、動画の表示条件、及び広告の表示条件を決定する。そして、情報処理装置が、動画の表示条件、及び広告の表示条件に従って、動画及び広告を表示させる。従って、ユーザによる動画の視聴の実績及び要求された動画の表示の実績の少なくとも何れか一方に応じて期待された程度にそのユーザに広告を選択させることができる。
また、この発明によれば、要求された動画が属する区分の動画の要求数に応じた程度に、ユーザに広告を選択させることができる。
請求項４に記載の発明は、動画を要求するユーザを識別するユーザ識別情報と、要求された前記動画を識別する動画識別情報とを取得する識別情報取得手段と、前記取得されたユーザ識別情報に対応する第１表示履歴及び前記取得された動画識別情報に対応する第２表示履歴の少なくとも何れか一方の表示履歴を表示履歴記憶手段から取得する表示履歴取得手段と、前記取得された少なくとも何れか一方の表示履歴に基づいて、前記要求された動画を表示するための第１の表示条件と、前記動画とともに表示される広告を表示するための表示条件であって前記第１の表示条件に応じた第２の表示条件とを決定する決定手段と、前記取得された動画識別情報に対応する動画を動画記憶手段から取得する動画取得手段と、広告記憶手段から前記広告を取得する広告取得手段と、前記取得された動画及び広告を、前記決定された表示条件に従って表示させる表示制御手段と、前記取得された少なくとも何れか一方の表示履歴に基づいて、前記要求された動画及び前記広告の表示条件を更新する間隔を決定する間隔決定手段と、前記要求された動画の表示が開始されてから前記決定された間隔で、前記表示条件を更新する更新手段であって、更新前の表示条件よりも前記ユーザが前記要求された動画を見にくい表示条件に更新する更新手段と、を備え、前記表示制御手段は、前記表示条件が更新されるごとに、前記要求された動画及び前記広告を、更新された前記表示条件に従って表示させることを特徴とする。
この発明によれば、情報処理装置が、動画を要求するユーザによる動画の表示履歴及び要求された動画の表示履歴の少なくとも何れか一方に基づいて、動画の表示条件、及び広告の表示条件を決定する。そして、情報処理装置が、動画の表示条件、及び広告の表示条件に従って、動画及び広告を表示させる。従って、ユーザによる動画の視聴の実績及び要求された動画の表示の実績の少なくとも何れか一方に応じて期待された程度にそのユーザに広告を選択させることができる。
また、この発明によれば、動画が表示された時間が長くなるにつれて次第に、動画及び広告が、より動画が見にくい表示条件で表示される。従って、１回の動画の再生において、ユーザによるその動画の視聴の実績に応じた蓋然性でそのユーザに広告を選択させることができる。
また、この発明によれば、ユーザによる動画の視聴の実績及び要求された動画の表示の実績の少なくとも一方に基づいて、動画が見にくくなっていく間隔が決定される。従って、ユーザによる動画の視聴の実績及び要求された動画の表示の実績の少なくとも一方に応じた蓋然性でそのユーザに広告を選択させることができる。
【手続補正４】
【補正対象書類名】明細書
【補正対象項目名】０００８
【補正方法】変更
【補正の内容】
【０００８】
請求項５に記載の発明は、請求項１乃至４の何れか１項に記載の情報処理装置において、前記決定手段は、前記第１表示履歴及び前記第２表示履歴に基づいて、前記表示条件を決定することを特徴とする。
【手続補正５】
【補正対象書類名】明細書
【補正対象項目名】０００９
【補正方法】変更
【補正の内容】
【０００９】
この発明によれば、ユーザによる動画の視聴の実績に応じて期待された程度及び要求された動画の表示の実績に応じた程度にユーザに広告を選択させることができる。
【手続補正６】
【補正対象書類名】明細書
【補正対象項目名】００１０
【補正方法】変更
【補正の内容】
【００１０】
請求項６に記載の発明は、請求項１乃至５の何れか１項に記載の情報処理装置において、前記取得されたユーザ識別情報に対応する広告の選択履歴を広告選択履歴記憶手段から取得する広告選択履歴取得手段を更に備え、前記決定手段は、前記取得された少なくとも何れか一方の表示履歴と、前記取得された選択履歴とに基づいて、前記表示条件を決定することを特徴とする。
【手続補正７】
【補正対象書類名】明細書
【補正対象項目名】００１２
【補正方法】削除
【補正の内容】
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】削除
【補正の内容】
【手続補正１１】
【補正対象書類名】明細書
【補正対象項目名】００１６
【補正方法】削除
【補正の内容】
【手続補正１２】
【補正対象書類名】明細書
【補正対象項目名】００１７
【補正方法】削除
【補正の内容】
【手続補正１３】
【補正対象書類名】明細書
【補正対象項目名】００２０
【補正方法】削除
【補正の内容】
【手続補正１４】
【補正対象書類名】明細書
【補正対象項目名】００２１
【補正方法】削除
【補正の内容】
【手続補正１５】
【補正対象書類名】明細書
【補正対象項目名】００２２
【補正方法】削除
【補正の内容】
【手続補正１６】
【補正対象書類名】明細書
【補正対象項目名】００２３
【補正方法】削除
【補正の内容】
【手続補正１７】
【補正対象書類名】明細書
【補正対象項目名】００２４
【補正方法】変更
【補正の内容】
【００２４】
請求項８に記載の発明は、コンピュータにより実行される情報処理方法であって、動画を要求するユーザを識別するユーザ識別情報と、要求された前記動画を識別する動画識別情報とを取得する識別情報取得ステップと、前記取得されたユーザ識別情報に対応する第１表示履歴及び前記取得された動画識別情報に対応する第２表示履歴の少なくとも何れか一方の表示履歴を表示履歴記憶手段から取得する表示履歴取得ステップと、前記取得された少なくとも何れか一方の表示履歴と、複数の時間帯のうち前記ユーザにより前記動画が要求された時間帯における動画の要求数とに基づいて、前記要求された動画を表示するための第１の表示条件と、前記動画とともに表示される広告を表示するための表示条件であって前記第１の表示条件に応じた第２の表示条件とを決定する決定ステップと、前記取得された動画識別情報に対応する動画を動画記憶手段から取得する動画取得ステップと、広告記憶手段から前記広告を取得する広告取得ステップと、前記取得された動画及び広告を、前記決定された表示条件に従って表示させる表示制御ステップと、を含むことを特徴とする。
【手続補正１８】
【補正対象書類名】明細書
【補正対象項目名】００２５
【補正方法】変更
【補正の内容】
【００２５】
請求項９に記載の発明は、コンピュータを、動画を要求するユーザを識別するユーザ識別情報と、要求された前記動画を識別する動画識別情報とを取得する識別情報取得手段と、前記取得されたユーザ識別情報に対応する第１表示履歴及び前記取得された動画識別情報に対応する第２表示履歴の少なくとも何れか一方の表示履歴を表示履歴記憶手段から取得する表示履歴取得手段と、前記取得された少なくとも何れか一方の表示履歴と、複数の時間帯のうち前記ユーザにより前記動画が要求された時間帯における動画の要求数とに基づいて、前記要求された動画を表示するための第１の表示条件と、前記動画とともに表示される広告を表示するための表示条件であって前記第１の表示条件に応じた第２の表示条件とを決定する決定手段と、前記取得された動画識別情報に対応する動画を動画記憶手段から取得する動画取得手段と、広告記憶手段から前記広告を取得する広告取得手段と、前記取得された動画及び広告を、前記決定された表示条件に従って表示させる表示制御手段と、として機能させることを特徴とする。
【手続補正１９】
【補正対象書類名】明細書
【補正対象項目名】００２６
【補正方法】変更
【補正の内容】
【００２６】
本発明によれば、情報処理装置が、動画を要求するユーザによる動画の表示履歴及び要求された動画の表示履歴の少なくとも何れか一方に基づいて、動画の表示条件、及び広告の表示条件を決定する。そして、情報処理装置が、動画の表示条件、及び広告の表示条件に従って、動画及び広告を表示させる。従って、ユーザによる動画の視聴の実績及び要求された動画の表示の実績の少なくとも何れか一方に応じて期待された程度にそのユーザに広告を選択させることができる。
【国際調査報告】
2016194041.tif 000023
2016194041.tif 000024
2016194041.tif 000025
2016194041.tif 000026